(57)【要約】  本発明では、無線通信システムにおいて端末と基地局との物理上りリンク制御チャンネルを送受信する方法及びそれを支援する装置を開示する。より具体的には、本発明では、１つのシンボルを介した物理上りリンク制御チャンネルの送受信を支援する無線通信システムにおいて、端末と基地局との複数のチャンネルを介して物理上りリンク制御チャンネルを送受信する方法及びそれを支援する装置に対する構成を開示する。【選択図】図３３
2020504470.tif 000002
【特許請求の範囲】
【請求項１】
無線通信システムにおいて、端末が基地局に物理上りリンク制御チャンネル（ＰＵＣＣＨ）を送信する方法であって、
１つのシンボルを用いたＰＵＣＣＨ構成を複数用いて、複数のシンボルを介して送信される多重シンボルＰＵＣＣＨを構成することと、
前記構成された多重シンボルＰＵＣＣＨを複数のシンボルを介して送信することと、を含む、物理上りリンク制御チャンネルの送信方法。
【請求項２】
前記１つのシンボルを用いたＰＵＣＣＨ構成は、前記１つのシンボルを介してＤＭ−ＲＳ及びＵＣＩが周波数分割多重化（Ｆｒｅｑｕｅｎｃｙ  Ｄｉｖｉｓｉｏｎ  Ｍｕｌｔｉｐｌｅｘｉｎｇ，ＦＤＭ）されて送信されるＰＵＣＣＨ構成である、請求項１に記載の物理上りリンク制御チャンネルの送信方法。
【請求項３】
前記１つのシンボルを用いたＰＵＣＣＨ構成が連続しない周波数リソースに割り当てられた複数の上りリンクリソース要素グループ（Ｒｅｓｏｕｒｃｅ  Ｅｌｅｍｅｎｔ  Ｇｒｏｕｐ，ＲＥＧ）で構成される場合、前記多重シンボルＰＵＣＣＨに対する周波数ホッピング（ｆｒｅｑｕｅｎｃｙ  ｈｏｐｐｉｎｇ）が適用されないことを特徴とする、請求項１に記載の物理上りリンク制御チャンネルの送信方法。
【請求項４】
前記１つのシンボルを用いたＰＵＣＣＨ構成が連続する周波数リソースに割り当てられた複数の上りリンクリソース要素グループ（Ｒｅｓｏｕｒｃｅ  Ｅｌｅｍｅｎｔ  Ｇｒｏｕｐ，ＲＥＧ）で構成される場合、前記多重シンボルＰＵＣＣＨに対する周波数ホッピング（ｆｒｅｑｕｅｎｃｙ  ｈｏｐｐｉｎｇ）が適用可能であることを特徴とする、請求項１に記載の物理上りリンク制御チャンネルの送信方法。
【請求項５】
前記多重シンボルＰＵＣＣＨは、周波数ホッピング（ｆｒｅｑｕｅｎｃｙ  ｈｏｐｐｉｎｇ）が適用されて送信される、請求項１に記載の物理上りリンク制御チャンネルの送信方法。
【請求項６】
前記多重シンボルＰＵＣＣＨが送信されるシンボル数がＫ（但し、Ｋは１より大きい自然数）個であり、前記多重シンボルＰＵＣＣＨが周波数ホッピングが適用されて送信される場合、各周波数ホッピング単位は
【数１】
2020504470.tif 000012
個のシンボルと
【数２】
2020504470.tif 000013
個のシンボルとに区分され、
【数３】
2020504470.tif 000014
は、ａと同一であるか、ａより大きい整数のうち最小の整数値を意味する、請求項５に記載の物理上りリンク制御チャンネルの送信方法。
【請求項７】
前記多重シンボルＰＵＣＣＨを介して送信される上りリンク制御情報（Ｕｐｌｉｎｋ  Ｃｏｎｔｒｏｌ  Ｉｎｆｏｒｍａｔｉｏｎ，ＵＣＩ）のサイズによって、前記多重シンボルＰＵＣＣＨが送信される各シンボルごとに送信されるＵＣＩビット情報は、同一である又は互いに異なる、請求項１に記載の物理上りリンク制御チャンネルの送信方法。
【請求項８】
前記多重シンボルＰＵＣＣＨを介して送信される上りリンク制御情報（Ｕｐｌｉｎｋ  Ｃｏｎｔｒｏｌ  Ｉｎｆｏｒｍａｔｉｏｎ，ＵＣＩ）のサイズが所定のビットサイズ以上である場合、前記多重シンボルＰＵＣＣＨが送信される各シンボルごとに送信されるＵＣＩビット情報は、互いに異なる、請求項７に記載の物理上りリンク制御チャンネルの送信方法。
【請求項９】
前記多重シンボルＰＵＣＣＨは、他の端末が送信したＰＵＣＣＨとコード分割多重化（Ｃｏｄｅ  Ｄｉｖｉｓｉｏｎ  Ｍｕｌｔｉｐｌｅｘｉｎｇ，ＣＤＭ）されて送信される、請求項１に記載の物理上りリンク制御チャンネルの送信方法。
【請求項１０】
前記１つのシンボルを用いたＰＵＣＣＨ構成は、前記１つのシンボルを介してＤＭ−ＲＳ及びＵＣＩが時間分割多重化（Ｔｉｍｅ  Ｄｉｖｉｓｉｏｎ  Ｍｕｌｔｉｐｌｅｘｉｎｇ，ＴＤＭ）されて送信されるＰＵＣＣＨ構成である、請求項１に記載の物理上りリンク制御チャンネルの送信方法。
【請求項１１】
前記多重シンボルＰＵＣＣＨは、２シンボルＰＵＣＣＨである、請求項１に記載の物理上りリンク制御チャンネルの送信方法。
【請求項１２】
無線通信システムにおいて、基地局が端末から物理上りリンク制御チャンネル（ＰＵＣＣＨ）を受信する方法であって、
前記端末から複数のシンボルを介して多重シンボルＰＵＣＣＨを受信して、
前記多重シンボルは、１つのシンボルを用いたＰＵＣＣＨ構成を複数用いて構成される、物理上りリンク制御チャンネルの受信方法。
【請求項１３】
無線通信システムにおいて、基地局に物理上りリンク制御チャンネル（ＰＵＣＣＨ）を送信する端末であって、
送信部と、
前記送信部と連結されて動作するプロセッサーと、を含み、
前記プロセッサーは、
１つのシンボルを用いたＰＵＣＣＨ構成を複数用いて、複数のシンボルを介して送信される多重シンボルＰＵＣＣＨを構成し、
前記構成された多重シンボルＰＵＣＣＨを複数のシンボルを介して送信するように構成される、端末。
【請求項１４】
無線通信システムにおいて、端末から物理上りリンク制御チャンネル（ＰＵＣＣＨ）を受信する基地局であって、
受信部と、
前記受信部と連結されて動作するプロセッサーと、を含み、
前記プロセッサーは、前記端末から複数のシンボルを介して多重シンボルＰＵＣＣＨを受信するように構成され、
前記多重シンボルは、１つのシンボルを用いたＰＵＣＣＨ構成を複数用いて構成される、基地局。
【発明の詳細な説明】
【技術分野】
【０００１】
以下の説明は、無線通信システムに関し、端末と基地局との間の物理上りリンク制御チャンネルを送受信する方法及びそれを支援する装置に関する。
【０００２】
より具体的には、以下の説明は、１つのシンボルを介した物理上りリンク制御チャンネルの送受信を支援する無線通信システムにおいて、端末と基地局との間の複数のチャンネルを介して物理上りリンク制御チャンネルを送受信する方法及びそれを支援する装置に関する。
【背景技術】
【０００３】
無線接続システムが音声やデータなどの種々の通信サービスを提供するために広範囲に展開されている。一般に、無線接続システムは利用可能なシステムリソース（帯域幅、送信電力など）を共有して複数のユーザとの通信を支援できる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００４】
なお、多数の通信機器がより大きな通信容量を要求することにより、既存のＲＡＴ（ｒａｄｉｏ  ａｃｃｅｓｓ  ｔｅｃｈｎｏｌｏｇｙ）に比べて向上したモバイルブロードバンド通信の必要性が高まっている。また、多数の機器及びモノを連結していつでもどこでも多様なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が次世代通信において考えられている。さらに信頼性（ｒｅｌｉａｂｉｌｉｔｙ）及び遅延（ｌａｔｅｎｃｙ）などに敏感なサービス／ＵＥを考慮した通信システムのデザインも考えられている。
【０００５】
このように向上したモバイルブロードバンド通信、大規模ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ＲＡＴの導入が論議されている。
【発明の概要】
【発明が解決しようとする課題】
【０００６】
本発明の目的は、新たに提案される通信システムにおいて端末と基地局とで物理上りリンク制御チャンネルを送受信する方法を提供することである。
【０００７】
特に、本発明は、新たに提案される通信システムにおいて、端末と基地局との間に１つ以上のシンボルを介して物理上りリンク制御チャンネルを送受信する場合、前記端末と基地局とで送受信する物理上りリンク制御チャンネルを構成する方法及びそれに基づいた物理上りリンク制御チャンネルの送受信方法を提供することを目的とする。
【０００８】
本発明で遂げようとする技術的目的は以上で言及した事項に限定されず、言及していない別の技術的課題は、以下に説明する本発明の実施例から、本発明の属する技術の分野における通常の知識を有する者によって考慮され得る。
【課題を解決するための手段】
【０００９】
本発明は、無線通信システムにおいて、端末と基地局が物理上りリンク制御チャンネルを送受信する方法及び装置を提供する。
【００１０】
本発明の一実施態様として、無線通信システムにおいて、端末が基地局に物理上りリンク制御チャンネル（ＰＵＣＣＨ）を送信する方法であって、１つのシンボルを用いたＰＵＣＣＨ構成を複数用いて、複数のシンボルを介して送信される多重シンボルＰＵＣＣＨを構成することと、前記構成された多重シンボルＰＵＣＣＨを複数のシンボルを介して送信することと、を含む、物理上りリンク制御チャンネルの送信方法を提案する。
【００１１】
本発明の他の実施態様として、無線通信システムにおいて、基地局が端末から物理上りリンク制御チャンネル（ＰＵＣＣＨ）を受信する方法であって、前記端末から複数のシンボルを介して多重シンボルＰＵＣＣＨを受信して、前記多重シンボルは、１つのシンボルを用いたＰＵＣＣＨ構成を複数用いて構成される、物理上りリンク制御チャンネルの受信方法を提案する。
【００１２】
本発明の他の実施態様として、無線通信システムにおいて、基地局に物理上りリンク制御チャンネル（ＰＵＣＣＨ）を送信する端末であって、前記端末は、送信部と、前記送信部と連結され動作するプロセッサーと、を含み、前記プロセッサーは、１つのシンボルを用いたＰＵＣＣＨ構成を複数用いて、複数のシンボルを介して送信される多重シンボルＰＵＣＣＨを構成し、前記構成された多重シンボルＰＵＣＣＨを複数のシンボルを介して送信するように構成される、端末を提案する。
【００１３】
本発明の他の実施態様として、無線通信システムにおいて、端末から物理上りリンク制御チャンネル（ＰＵＣＣＨ）を受信する基地局であって、前記基地局は、受信部と、前記受信部と連結され動作するプロセッサーと、を含み、前記プロセッサーは、前記端末から複数のシンボルを介して多重シンボルＰＵＣＣＨを受信するように構成され、前記多重シンボルは、１つのシンボルを用いたＰＵＣＣＨ構成を複数用いて構成される、基地局を提案する。
【００１４】
このとき、前記１つのシンボルを用いたＰＵＣＣＨ構成は、前記１つのシンボルを介してＤＭ−ＲＳ及びＵＣＩが周波数分割多重化（Ｆｒｅｑｕｅｎｃｙ  Ｄｉｖｉｓｉｏｎ  Ｍｕｌｔｉｐｌｅｘｉｎｇ，ＦＤＭ）されて送信されるＰＵＣＣＨ構成が適用されてもよい。
【００１５】
また、前記１つのシンボルを用いたＰＵＣＣＨ構成が連続しない周波数リソースに割り当てられた複数の上りリンクリソース要素グループ（Ｒｅｓｏｕｒｃｅ  Ｅｌｅｍｅｎｔ  Ｇｒｏｕｐ，ＲＥＧ）で構成される場合、前記多重シンボルＰＵＣＣＨに対する周波数ホッピング（ｆｒｅｑｕｅｎｃｙ  ｈｏｐｐｉｎｇ）は許容されなくてもよい。
【００１６】
一方、前記１つのシンボルを用いたＰＵＣＣＨ構成が連続する周波数リソースに割り当てられた複数の上りリンクリソース要素グループ（Ｒｅｓｏｕｒｃｅ  Ｅｌｅｍｅｎｔ  Ｇｒｏｕｐ，ＲＥＧ）で構成される場合、前記多重シンボルＰＵＣＣＨに対する周波数ホッピング（ｆｒｅｑｕｅｎｃｙ  ｈｏｐｐｉｎｇ）が適用されてもよい。
【００１７】
また、前記多重シンボルＰＵＣＣＨは、周波数ホッピング（ｆｒｅｑｕｅｎｃｙ  ｈｏｐｐｉｎｇ）が適用されて送信されてもよい。
【００１８】
具体的に、前記多重シンボルＰＵＣＣＨが送信されるシンボル数がＫ（但し、Ｋは１より大きい自然数）個であり、前記多重シンボルＰＵＣＣＨが周波数ホッピングが適用されて送信される場合、各周波数ホッピング単位は
2020504470.tif 000003
個のシンボルと
2020504470.tif 000004
個のシンボルとに区分される。ここで、
2020504470.tif 000005
はａと同一であるか、ａより大きい整数のうち最小の整数値を意味してもよい。
【００１９】
前記多重シンボルＰＵＣＣＨが送信される各シンボルごとに送信される上りリンク制御情報（Ｕｐｌｉｎｋ  Ｃｏｎｔｒｏｌ  Ｉｎｆｏｒｍａｔｉｏｎ，ＵＣＩ）ビット情報は、前記多重シンボルＰＵＣＣＨを介して送信されるＵＣＩサイズによって、互いに同一である又は互いに異なるように設定されてもよい。
【００２０】
具体的に、前記多重シンボルＰＵＣＣＨを介して送信される上りリンク制御情報（Ｕｐｌｉｎｋ  Ｃｏｎｔｒｏｌ  Ｉｎｆｏｒｍａｔｉｏｎ，ＵＣＩ）のサイズが所定のビットサイズ以上である場合、前記多重シンボルＰＵＣＣＨが送信される各シンボルごとに送信されるＵＣＩビット情報は互いに異なるように設定されてもよい。
【００２１】
また、前記多重シンボルＰＵＣＣＨは、他の端末が送信したＰＵＣＣＨとコード分割多重化（符号分割多重化、Ｃｏｄｅ  Ｄｉｖｉｓｉｏｎ  Ｍｕｌｔｉｐｌｅｘｉｎｇ，ＣＤＭ）されて送信されてもよい。
【００２２】
また、前記１つのシンボルを用いたＰＵＣＣＨ構成は、前記１つのシンボルを介してＤＭ−ＲＳ及びＵＣＩが時間分割多重化（Ｔｉｍｅ  Ｄｉｖｉｓｉｏｎ  Ｍｕｌｔｉｐｌｅｘｉｎｇ，ＴＤＭ）されて送信されるＰＵＣＣＨ構成であってもよい。
【００２３】
本発明において、前記多重シンボルＰＵＣＣＨは、２シンボルＰＵＣＣＨであってもよい。
【００２４】
上述した本発明の様態は、本発明の好適な実施例の一部に過ぎず、本願発明の技術的特徴が反映された様々な実施例が、当該技術の分野における通常的な知識を有する者にとって、以下に詳述する本発明の詳細な説明に基づいて導出され理解され得るだろう。
【発明の効果】
【００２５】
本発明の実施例によれば、次のような効果がある。
【００２６】
本発明によれば、新たに提案される無線通信システム（例えば、ＮＲシステム）において、可変のシンボル数を介した物理上りリンク制御チャンネルの送受信を支援する場合、端末と基地局は前記物理上りリンク制御チャンネルを介して送受信しようとする上りリンク制御チャンネルのサイズによって適切なＰＵＣＣＨ構造を活用して、物理上りリンク制御チャンネルを送受信することができる。
【００２７】
本発明の実施例から得られる効果は、以上で言及した効果に限定されず、言及していない別の効果は、以下の本発明の実施例に関する記載から、本発明の属する技術の分野における通常の知識を有する者に明確に導出され理解されるであろう。すなわち、本発明を実施することに伴う意図していない効果も、本発明の実施例から当該技術の分野における通常の知識を有する者によって導出され得る。
【図面の簡単な説明】
【００２８】
以下に添付する図面は、本発明に関する理解を助けるためのものであり、詳細な説明と共に本発明に関する実施例を提供する。ただし、本発明の技術的特徴が特定の図面に限定されるものではなく、各図面で開示する特徴が互いに組み合わせられて新しい実施例として構成されてもよい。各図面における参照番号（ｒｅｆｅｒｅｎｃｅ  ｎｕｍｅｒａｌｓ）は構造的構成要素（ｓｔｒｕｃｔｕｒａｌ  ｅｌｅｍｅｎｔｓ）を意味する。
【図１】物理チャンネル及びそれらを用いた信号送信方法を説明するための図である。
【図２】無線フレームの構造の一例を示す図である。
【図３】下りリンクスロットに対するリソースグリッド（ｒｅｓｏｕｒｃｅ  ｇｒｉｄ）を例示する図である。
【図４】上りリンクサブフレームの構造の一例を示す図である。
【図５】下りリンクサブフレームの構造の一例を示す図である。
【図６】本発明に適用可能なセルフサブフレームの構造（Ｓｅｌｆ−Ｃｏｎｔａｉｎｅｄ  ｓｕｂｆｒａｍｅ  ｓｔｒｕｃｔｕｒｅ）を示す図である。
【図７】ＴＸＲＵとアンテナ要素（ｅｌｅｍｅｎｔ）の代表的な連結方式を示す図である。
【図８】ＴＸＲＵとアンテナ要素（ｅｌｅｍｅｎｔ）の代表的な連結方式を示す図である。
【図９】本発明の一例によるＴＸＲＵ及び物理アンテナ観点におけるハイブリッドビームフォーミングの構造を簡単に示す図である。
【図１０】本発明の一例による下りリンク（Ｄｏｗｎｌｉｎｋ，ＤＬ）送信の過程において、同期信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対するビームスイーピング（Ｂｅａｍ  ｓｗｅｅｐｉｎｇ）動作を簡単に示す図である。
【図１１】本発明の一例による１シンボルＰＵＣＣＨの構造を示す図である。
【図１２】本発明の一例による多重シンボルＰＵＣＣＨの構造を示す図である。
【図１３】本発明の別の例による多重シンボルＰＵＣＣＨの構造を示す図である。
【図１４】本発明の別の例による多重シンボルＰＵＣＣＨの構造を示す図である。
【図１５】本発明の一例によりＰＵＣＣＨ及びＰＵＳＣＨを送信する構成を簡単に示す図である。
【図１６】本発明の別の例による多重シンボルＰＵＣＣＨの構造を示す図である。
【図１７】本発明の別の例による多重シンボルＰＵＣＣＨの構造を示す図である。
【図１８】本発明の一例によりＲＳ及びＵＣＩがＦＤＭ又はＦＤＭ＋ＴＤＭされる構造を示す図である。
【図１９】ＬＴＥシステムにおけるＰＵＣＣＨ  ｆｏｒｍａｔ  ３の構造を簡単に示す図である。
【図２０】ＬＴＥシステムにおけるＰＵＣＣＨ  ｆｏｒｍａｔ  ３の送信方法を簡単に示す図である。
【図２１】ＬＴＥシステムにおけるＰＵＣＣＨ  ｆｏｒｍａｔ  ３の送信方法を簡単に示す図である。
【図２２】ＬＴＥシステムにおけるＰＵＣＣＨ  ｆｏｒｍａｔ  ５の構造を簡単に示す図である。
【図２３】ＬＴＥシステムにおけるＰＵＣＣＨ  ｆｏｒｍａｔ  ５の構造を簡単に示す図である。
【図２４】本発明による７シンボルＰＵＣＣＨの送信方法を簡単に示す図である。
【図２５】本発明による６シンボルＰＵＣＣＨの送信方法を簡単に示す図である。
【図２６】本発明による５シンボルＰＵＣＣＨの送信方法を簡単に示す図である。
【図２７】本発明による７シンボルＰＵＣＣＨの送信方法を簡単に示す図である。
【図２８】本発明による６シンボルＰＵＣＣＨの送信方法を簡単に示す図である。
【図２９】本発明による５シンボルＰＵＣＣＨの送信方法を簡単に示す図である。
【図３０】本発明による７シンボルＰＵＣＣＨの送信方法を簡単に示す図である。
【図３１】本発明による６シンボルＰＵＣＣＨの送信方法を簡単に示す図である。
【図３２】本発明による５シンボルＰＵＣＣＨの送信方法を簡単に示す図である。
【図３３】本発明による端末のＰＵＣＣＨの送信方法を示すフローチャートである。
【図３４】提案する実施例を実現できる端末及び基地局の構成を示す図である。
【発明を実施するための形態】
【００２９】
以下の実施例は本発明の構成要素と特徴を所定の形態で結合したものである。各構成要素又は特徴は、別の明示的言及がない限り、選択的なものとして考慮することができる。各構成要素又は特徴は別の構成要素や特徴と結合しない形態で実施されてもよく、一部の構成要素及び／又は特徴を結合させて本発明の実施例を構成してもよい。本発明の実施例において説明される動作の順序は変更されてもよい。ある実施例の一部の構成や特徴は他の実施例に含まれてもよく、他の実施例の対応する構成又は特徴に取り替えられてもよい。
【００３０】
図面に関する説明において、本発明の要旨を曖昧にさせ得る手順又は段階などは記述を省略し、当業者のレベルで理解可能な程度の手順又は段階も記述を省略する。
【００３１】
明細書全体を通じて、ある部分がある構成要素を「含む（ｃｏｍｐｒｉｓｉｎｇ又はｉｎｃｌｕｄｉｎｇ）」というとき、これは、別に反対の記載がない限り、他の構成要素を除外するものではなく、他の構成要素をさらに含み得ることを意味する。また、明細書でいう「…部」、「…器」、「モジュール」などの用語は、少なくとも１つの機能や動作を処理する単位を意味し、これは、ハードウェア、ソフトウェア、又はハードウェア及びソフトウェアの結合によって実現することができる。また、「ある（ａ又はａｎ）」、「１つ（ｏｎｅ）」、「その（ｔｈｅ）」及び類似の関連語は、本発明を記述する文脈において（特に、以下の請求項の文脈において）本明細書に別に指示されたり文脈によって明らかに反駁されない限り、単数及び複数の両方を含む意味で使うことができる。
【００３２】
本明細書において本発明の実施例は基地局と移動局との間のデータ送受信関係を中心に説明される。ここで、基地局は、移動局と通信を直接行うネットワークの終端ノード（ｔｅｒｍｉｎａｌ  ｎｏｄｅ）としての意味を有する。本文書において基地局によって行われるとされている特定動作は、場合によっては、基地局の上位ノード（ｕｐｐｅｒ  ｎｏｄｅ）によって行われてもよい。
【００３３】
すなわち、基地局を含む複数のネットワークノード（ｎｅｔｗｏｒｋ  ｎｏｄｅ）からなるネットワークにおいて、移動局との通信のために行われる様々な動作は、基地局、又は基地局以外の他のネットワークノードで行うことができる。このとき、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）、ｎｅｗ−ｇｅｎｅｒａｔｉｏｎ Ｎｏｄｅ  Ｂ（ｇＮＢ）、又はアクセスポイント（ａｃｃｅｓｓ  ｐｏｉｎｔ）などの用語に言い換えることができる。
【００３４】
また、本発明の実施例において、端末（Ｔｅｒｍｉｎａｌ）は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に言い換えることができる。
【００３５】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端にし、基地局を受信端にすることができる。同様に、下りリンクでは移動局を受信端にし、基地局を送信端にすることができる。
【００３６】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムのうち少なくとも１つに開示されている標準文書によってサポートすることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１及び  ３ＧＰＰ  ＴＳ  ３６．３３１の文書によってサポートすることができる。すなわち、本発明の実施例のうち、説明していない自明な段階又は部分は、上記文書を参照して説明することができる。また、本文書に開示している用語はいずれも、上記標準文書によって説明することができる。
【００３７】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００３８】
また、本発明の実施例で使われる特定用語は本発明の理解し易さのために提供されるものであり、このような特定用語の使用は本発明の技術的思想を逸脱しない範囲で他の形態に変更されてもよい。
【００３９】
例えば、送信機会区間（ＴｘＯＰ：Ｔｒａｎｓｍｉｓｓｉｏｎ  Ｏｐｐｏｒｔｕｎｉｔｙ  Ｐｅｒｉｏｄ）という用語は、送信区間、送信バースト（Ｔｘ  ｂｕｒｓｔ）又はＲＲＰ（Ｒｅｓｅｒｖｅｄ  Ｒｅｓｏｕｒｃｅ  Ｐｅｒｉｏｄ）という用語と同じ意味で使うことができる。また、ＬＢＴ（Ｌｉｓｔｅｎ  Ｂｅｆｏｒｅ  Ｔａｌｋ）過程は、チャンネル状態が遊休であるか否かを判断するためのキャリアセンシング過程、ＣＣＡ（Ｃｌｅａｒ  Ｃｈａｎｎｅｌ  Ａｃｃｅｓｓｍｅｎｔ）、チャンネル接続過程（ＣＡＰ：Ｃｈａｎｎｅｌ  Ａｃｃｅｓｓ  Ｐｒｏｃｅｄｕｒｅ）と同じ目的で行うことができる。
【００４０】
以下では、本発明の実施例を利用可能な無線接続システムの一例として３ＧＰＰ  ＬＴＥ／ＬＴＥ−Ａシステムについて説明する。
【００４１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに適用することができる。
【００４２】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって実現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって実現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって実現することができる。
【００４３】
ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ  Ｅｖｏｌｕｔｉｏｎ）はＥ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）システムは３ＧＰＰ  ＬＴＥシステムを改良したシステムである。本発明の技術的特徴に関する説明を明確にするために、本発明の実施例は３ＧＰＰ  ＬＴＥ／ＬＴＥ−Ａシステムを中心に述べられるが、ＩＥＥＥ  ８０２．１６ｅ／ｍシステムなどに適用されてもよい。
【００４４】
１．３ＧＰＰ  ＬＴＥ／ＬＴＥ  Ａ  システム
【００４５】
１．１．物理チャンネル及びこれを用いた信号の送受信方法
【００４６】
無線接続システムにおいて端末は下りリンク（ＤＬ：Ｄｏｗｎｌｉｎｋ）で基地局から情報を受信し、上りリンク（ＵＬ：Ｕｐｌｉｎｋ）で基地局に情報を送信する。基地局と端末とが送受信する情報は一般データ情報及び種々の制御情報を含み、基地局と端末とが送受信する情報の種類／用途によって様々な物理チャンネルが存在する。
【００４７】
図１は、本発明の実施例で使用可能な物理チャンネル及びそれらを用いた信号送信方法を説明するための図である。
【００４８】
電源が消えた状態で電源がついたり、新しくセルに進入したりした端末は、Ｓ１１段階で、基地局と同期を取るなどの初期セル探索（Ｉｎｉｔｉａｌ  ｃｅｌｌ  ｓｅａｒｃｈ）作業を行う。そのために、端末は基地局からプライマリ同期チャンネル（Ｐ−ＳＣＨ：Ｐｒｉｍａｒｙ  Ｓｙｎｃｈｒｏｎｉｚａｔｉｏｎ  Ｃｈａｎｎｅｌ）及びセカンダリ同期チャンネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００４９】
その後、端末は基地局から物理放送チャンネル（ＰＢＣＨ：Ｐｈｙｓｉｃａｌ  Ｂｒｏａｄｃａｓｔ  Ｃｈａｎｎｅｌ）信号を受信してセル内放送情報を取得することができる。
【００５０】
一方、端末は初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りリンクチャンネル状態を確認することができる。
【００５１】
初期セル探索を終えた端末は、Ｓ１２段階で、物理下りリンク制御チャンネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下りリンク制御チャンネル情報に対応する物理下りリンク共有チャンネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を取得することができる。
【００５２】
その後、端末は基地局への接続を完了するために、段階Ｓ１３〜段階Ｓ１６のようなランダムアクセス過程（Ｒａｎｄｏｍ  Ａｃｃｅｓｓ  Ｐｒｏｃｅｄｕｒｅ）を行うことができる。そのために、端末は物理ランダムアクセスチャンネル（ＰＲＡＣＨ：Ｐｈｙｓｉｃａｌ  Ｒａｎｄｏｍ  Ａｃｃｅｓｓ  Ｃｈａｎｎｅｌ）でプリアンブル（ｐｒｅａｍｂｌｅ）を送信し（Ｓ１３）、物理下りリンク制御チャンネル及びそれに対応する物理下りリンク共有チャンネルでプリアンブルに対する応答メッセージを受信することができる（Ｓ１４）。競合ベースのランダムアクセスでは、端末は、更なる物理ランダムアクセスチャンネル信号の送信（Ｓ１５）、及び物理下りリンク制御チャンネル信号及びそれに対応する物理下りリンク共有チャンネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００５３】
上述したような手順を行った端末は、その後、一般的な上りリンク／下りリンク信号送信手順として、物理下りリンク制御チャンネル信号及び／又は物理下りリンク共有チャンネル信号の受信（Ｓ１７）、及び物理上りリンク共有チャンネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上りリンク制御チャンネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００５４】
端末が基地局に送信する制御情報を総称して上りリンク制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００５５】
ＬＴＥシステムにおいてＵＣＩは一般的にＰＵＣＣＨで周期的に送信されるが、制御情報とトラフィックデータが同時に送信されるべき場合にはＰＵＳＣＨで送信されてもよい。また、ネットワークの要求／指示によってＰＵＳＣＨでＵＣＩを非周期的に送信することもできる。
【００５６】
１．２．リソース構造
【００５７】
図２は、本発明の実施例で用いられる無線フレームの構造を示す図である。
【００５８】
図２（ａ）にはタイプ１フレーム構造（ｆｒａｍｅ  ｓｔｒｕｃｔｕｒｅ  ｔｙｐｅ１）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムにも半二重（ｈａｌｆ  ｄｕｐｌｅｘ）ＦＤＤシステムにも適用可能である。
【００５９】
１無線フレーム（ｒａｄｉｏ  ｆｒａｍｅ）はＴｆ＝３０７２００＊Ｔｓ＝１０ｍｓの長さを有するものであり、Ｔｓｌｏｔ＝１５３６０＊Ｔｓ＝０．５ｍｓの均等な長さを有し、０〜１９のインデックスが与えられた２０個のスロットで構成される。１サブフレームは２つの連続したスロットで定義され、ｉ番目のサブフレームは、２ｉと２ｉ＋１に該当するスロットで構成される。すなわち、無線フレーム（ｒａｄｉｏ  ｆｒａｍｅ）は１０個のサブフレーム（ｓｕｂｆｒａｍｅ）で構成される。１サブフレームを送信するためにかかる時間をＴＴＩ（ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは時間領域において複数のＯＦＤＭシンボル又はＳＣ−ＦＤＭＡシンボルを含み、周波数領域において複数のリソースブロック（Ｒｅｓｏｕｒｃｅ  Ｂｌｏｃｋ）を含む。
【００６０】
１スロットは時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは下りリンクにおいてＯＦＤＭＡを用いるので、ＯＦＤＭシンボルは１シンボル区間（ｓｙｍｂｏｌ  ｐｅｒｉｏｄ）を表現するためのものである。ＯＦＤＭシンボルは１つのＳＣ−ＦＤＭＡシンボル又はシンボル区間ということができる。リソースブロック（ｒｅｓｏｕｒｃｅ  ｂｌｏｃｋ）はリソース割り当て単位であり、１つのスロットで複数の連続した副搬送波（ｓｕｂｃａｒｒｉｅｒ）を含む。
【００６１】
全二重ＦＤＤシステムでは各１０ｍｓ区間において１０個のサブフレームを下りリンク送信と上りリンク送信のために同時に利用することができる。このとき、上りリンクと下りリンク送信は周波数領域において分離される。これに対し、半二重ＦＤＤシステムでは端末が送信と受信を同時に行うことができない。
【００６２】
上述した無線フレームの構造は１つの例示に過ぎず、無線フレームに含まれるサブフレームの数、サブフレームに含まれるスロットの数、又はスロットに含まれるＯＦＤＭシンボルの数は様々に変更されてもよい。
【００６３】
図２（ｂ）にはタイプ２フレーム構造（ｆｒａｍｅ  ｓｔｒｕｃｔｕｒｅ  ｔｙｐｅ２）を示す。タイプ２フレーム構造はＴＤＤシステムに適用される。１無線フレーム（ｒａｄｉｏ  ｆｒａｍｅ）はＴｆ＝３０７２００＊Ｔｓ＝１０ｍｓの長さを有し、１５３６００＊Ｔｓ＝５ｍｓの長さを有する２つのハーフフレーム（ｈａｌｆ−ｆｒａｍｅ）で構成される。各ハーフフレームは３０７２０＊Ｔｓ＝１ｍｓの長さを有する５つのサブフレームで構成される。ｉ番目のサブフレームは２ｉと２ｉ＋１に該当する各Ｔｓｌｏｔ＝１５３６０＊Ｔｓ＝０．５ｍｓの長さを有する２つのスロットで構成される。ここで、Ｔｓはサンプリング時間を表し、Ｔｓ＝１／（１５ｋＨｚ×２０４８）＝３．２５５２×１０−８（約３３ｎｓ）と表示される。
【００６４】
タイプ２フレームは、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別サブフレームを含む。ここで、ＤｗＰＴＳは、端末における初期セル探索、同期化又はチャンネル推定に用いられる。ＵｐＰＴＳは、基地局におけるチャンネル推定と端末の上り送信同期化に用いられる。保護区間は、上りリンクと下りリンクとの間に下りリンク信号の多重経路遅延によって上りリンクに生じる干渉を除去するための区間である。
【００６５】
次の表１は、特別フレームの構成（ＤｗＰＴＳ／ＧＰ／ＵｐＰＴＳの長さ）を表す。
【００６６】
【表１】
2020504470.tif 000006
【００６７】
図３は、本発明の実施例で利用可能な下りリンクスロットに対するリソースグリッド（ｒｅｓｏｕｒｃｅ  ｇｒｉｄ）を例示する図である。
【００６８】
図３を参照すると、１つの下りリンクスロットは時間領域において複数のＯＦＤＭシンボルを含む。ここで、１つの下りリンクスロットは７個のＯＦＤＭシンボルを含み、１つのリソースブロックは周波数領域において１２個の副搬送波を含むとしているが、これに限定されるものではない。
【００６９】
リソースグリッド上で各要素（ｅｌｅｍｅｎｔ）をリソース要素（ｒｅｓｏｕｒｃｅ  ｅｌｅｍｅｎｔ）といい、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に従属する。上りリンクスロット構造は、下りリンクスロットの構造と同様であってもよい。
【００７０】
図４は、本発明の実施例で利用可能な上りリンクサブフレームの構造を示す。
【００７１】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波特性を維持するために１つの端末はＰＵＣＣＨとＰＵＳＣＨを同時に送信しない。１つの端末に対するＰＵＣＣＨにはサブフレーム内にＲＢ対が割り当てられる。ＲＢ対に属するＲＢは２つのスロットのそれぞれにおいて異なる副搬送波を占める。このようなＰＵＣＣＨに割り当てられたＲＢ対は、スロット境界（ｓｌｏｔ  ｂｏｕｎｄａｒｙ）で周波数ホッピング（ｆｒｅｑｕｅｎｃｙ  ｈｏｐｐｉｎｇ）する、という。
【００７２】
図５は、本発明の実施例で利用可能な下りリンクサブフレームの構造を示す図である。
【００７３】
図５を参照すると、サブフレームにおける第１番目のスロットにおいてＯＦＤＭシンボルインデックス０から最大で３つまでのＯＦＤＭシンボルが、制御チャンネルが割り当てられる制御領域（ｃｏｎｔｒｏｌ  ｒｅｇｉｏｎ）であり、残りのＯＦＤＭシンボルは、ＰＤＳＣＨが割り当てられるデータ領域（ｄａｔａ  ｒｅｇｉｏｎ）である。３ＧＰＰ  ＬＴＥで用いられる下りリンク制御チャンネルの例に、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００７４】
ＰＣＦＩＣＨはサブフレームの第１番目のＯＦＤＭシンボルで送信され、サブフレームにおいて制御チャンネルの送信のために用いられるＯＦＤＭシンボルの数（すなわち、制御領域のサイズ）に関する情報を搬送する。ＰＨＩＣＨは、上りリンクに対する応答チャンネルであり、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を搬送する。ＰＤＣＣＨで送信される制御情報を下りリンク制御情報（ＤＣＩ：ｄｏｗｎｌｉｎｋ  ｃｏｎｔｒｏｌ  ｉｎｆｏｒｍａｔｉｏｎ）という。下りリンク制御情報は、上りリンクリソース割り当て情報、下りリンクリソース割り当て情報、又は任意の端末グループに対する上りリンク送信（Ｔｘ）電力制御命令を含む。
【００７５】
１．３．ＣＳＩフィードバック
【００７６】
３ＧＰＰ  ＬＴＥ又はＬＴＥ−Ａシステムでは、ユーザ機器（ＵＥ）がチャンネル状態情報（ＣＳＩ）を基地局（ＢＳ又はｅＮＢ）に報告するように定義される。ここで、チャンネル状態情報（ＣＳＩ）は、ＵＥとアンテナポートとの間に形成される無線チャンネル（又は、リンク）の品質を示す情報を総称する。
【００７７】
例えば、前記チャンネル状態情報（ＣＳＩ）は、ランク指示子（ｒａｎｋ  ｉｎｄｉｃａｔｏｒ，ＲＩ）、プリコーディング行列指示子（ｐｒｅｃｏｄｉｎｇ  ｍａｔｒｉｘ  ｉｎｄｉｃａｔｏｒ，ＰＭＩ）、チャンネル品質指示子（ｃｈａｎｎｅｌ  ｑｕａｌｉｔｙ  ｉｎｄｉｃａｔｏｒ，ＣＱＩ）などを含む。
【００７８】
ここで、ＲＩは当該チャンネルのランク（ｒａｎｋ）情報を示し、これはＵＥが同一の時間−周波数リソースを介して受信するストリーム数を意味する。この値は、チャンネルの長期フェーディング（Ｌｏｎｇ  Ｔｅｒｍ  Ｆａｄｉｎｇ）によって従属されて決定される。次いで、 通常、ＲＩはＰＭＩ、ＣＱＩより長い周期でＵＥによってＢＳにフィードバックされる。
【００７９】
ＰＭＩはチャンネル空間特性を反映した値であって、ＳＩＮＲなどのメトリック（ｍｅｔｒｉｃ）を基準としてＵＥが好ましいプリコーディングインデックスを示す。
【００８０】
ＣＱＩはチャンネルの強度を示す値であって、通常、ＢＳがＰＭＩを用いるときに得られる受信ＳＩＮＲを意味する。
【００８１】
３ＧＰＰ  ＬＴＥ又はＬＴＥ−Ａシステムにおいて、基地局は、複数のＣＳＩプロセスをＵＥに設定して、各プロセスに対するＣＳＩをＵＥから報告される。ここで、ＣＳＩプロセスは、基地局からの信号品質の特定のためのＣＳＩ−ＲＳと干渉測定のためのＣＳＩ干渉測定（ＣＳＩ−ｉｎｔｅｒｆｅｒｅｎｃｅ  ｍｅａｓｕｒｅｍｅｎｔ，ＣＳＩ−ＩＭ）リソースで構成する。
【００８２】
１．４．ＲＲＭ測定
【００８３】
ＬＴＥシステムでは、電力制御（Ｐｏｗｅｒ  ｃｏｎｔｒｏｌ）、スケジューリング（Ｓｃｈｅｄｕｌｉｎｇ）、セル検索（Ｃｅｌｌ  ｓｅａｒｃｈ）、セル再選択（Ｃｅｌｌ  ｒｅｓｅｌｅｃｔｉｏｎ）、ハンドオーバー（Ｈａｎｄｏｖｅｒ）、ラジオリンク又は連結モニタリング（Ｒａｄｉｏ  ｌｉｎｋ  ｏｒ  Ｃｏｎｎｅｃｔｉｏｎ  ｍｏｎｉｔｏｒｉｎｇ）、連結確立／再確立（Ｃｏｎｎｅｃｔｉｏｎ  ｅｓｔａｂｌｉｓｈ／ｒｅ−ｅｓｔａｂｌｉｓｈ）などを含むＲＲＭ（Ｒａｄｉｏ  Ｒｅｓｏｕｒｃｅ  Ｍａｎａｇｅｍｅｎｔ）動作を支援する。このとき、サービングセルは端末にＲＲＭ動作を行うための測定値であるＲＲＭ測定（ｍｅａｓｕｒｅｍｅｎｔ）情報を要求することができる。代表的な情報として、ＬＴＥシステムにおいて端末は各セルに対するセル検索（Ｃｅｌｌ  ｓｅａｒｃｈ）情報、ＲＳＲＰ（ｒｅｆｅｒｅｎｃｅ  ｓｉｇｎａｌ  ｒｅｃｅｉｖｅｄ  ｐｏｗｅｒ）、ＲＳＲＱ（ｒｅｆｅｒｅｎｃｅ  ｓｉｇｎａｌ  ｒｅｃｅｉｖｅｄ  ｑｕａｌｉｔｙ）などの情報を測定して報告することができる。具体的には、ＬＴＥシステムにおいて端末はサービングセルからＲＲＭ測定のための上位層信号として「ｍｅａｓＣｏｎｆｉｇ」が伝達され、端末はこの「ｍｅａｓＣｏｎｆｉｇ」の情報に従ってＲＳＲＰ又はＲＳＲＱを測定する。
【００８４】
ここで、ＬＴＥシステムにおいて定義するＲＳＲＰ、ＲＳＲＱ、ＲＳＳＩは、以下のように定義される。
【００８５】
先ず、ＲＳＲＰは考慮される測定周波数帯域内のセル固有の参照信号を送信するリソース要素の電力分布（ｐｏｗｅｒ  ｃｏｎｔｒｉｂｕｔｉｏｎ、［Ｗ］単位）の線形平均で定義される。（Ｒｅｆｅｒｅｎｃｅ  ｓｉｇｎａｌ  ｒｅｃｅｉｖｅｄ  ｐｏｗｅｒ  （ＲＳＲＰ）,  ｉｓ  ｄｅｆｉｎｅｄ  ａｓ  ｔｈｅ  ｌｉｎｅａｒ  ａｖｅｒａｇｅ  ｏｖｅｒ  ｔｈｅ  ｐｏｗｅｒ  ｃｏｎｔｒｉｂｕｔｉｏｎｓ  （ｉｎ  ［Ｗ］）  ｏｆ  ｔｈｅ  ｒｅｓｏｕｒｃｅ  ｅｌｅｍｅｎｔｓ  ｔｈａｔ  ｃａｒｒｙ  ｃｅｌｌ−ｓｐｅｃｉｆｉｃ  ｒｅｆｅｒｅｎｃｅ  ｓｉｇｎａｌｓ  ｗｉｔｈｉｎ  ｔｈｅ  ｃｏｎｓｉｄｅｒｅｄ  ｍｅａｓｕｒｅｍｅｎｔ  ｆｒｅｑｕｅｎｃｙ  ｂａｎｄｗｉｄｔｈ．）一例として、ＲＳＲＰ決定のためにセル固有の参照信号Ｒ０が活用できる。（Ｆｏｒ  ＲＳＲＰ  ｄｅｔｅｒｍｉｎａｔｉｏｎ  ｔｈｅ  ｃｅｌｌ−ｓｐｅｃｉｆｉｃ  ｒｅｆｅｒｅｎｃｅ  ｓｉｇｎａｌｓ  Ｒ０  ｓｈａｌｌ  ｂｅ  ｕｓｅｄ．）仮に、ＵＥがセル固有の参照信号Ｒ１が利用可能であると検出する場合、ＵＥはＲ１をさらに用いてＲＳＲＰを決定する。（Ｉｆ  ｔｈｅ  ＵＥ  ｃａｎ  ｒｅｌｉａｂｌｙ  ｄｅｔｅｃｔ  ｔｈａｔ  Ｒ１  ｉｓ  ａｖａｉｌａｂｌｅ  ｉｔ  ｍａｙ  ｕｓｅ  Ｒ１  ｉｎ  ａｄｄｉｔｉｏｎ  ｔｏ  Ｒ０  ｔｏ  ｄｅｔｅｒｍｉｎｅ  ＲＳＲＰ．）
【００８６】
ＲＳＲＰのための参照ポイントは、ＵＥのアンテナコネクターとなり得る。（Ｔｈｅ  ｒｅｆｅｒｅｎｃｅ  ｐｏｉｎｔ  ｆｏｒ  ｔｈｅ  ＲＳＲＰ  ｓｈａｌｌ  ｂｅ  ｔｈｅ  ａｎｔｅｎｎａ  ｃｏｎｎｅｃｔｏｒ  ｏｆ  ｔｈｅ  ＵＥ．）
【００８７】
仮に、ＵＥが受信機ダイバーシティを用いる場合、報告される値は個別のダイバーシティブランチに対応するＲＳＲＰより小さくならないようにする。（Ｉｆ  ｒｅｃｅｉｖｅｒ  ｄｉｖｅｒｓｉｔｙ  ｉｓ  ｉｎ  ｕｓｅ  ｂｙ  ｔｈｅ  ＵＥ,  ｔｈｅ  ｒｅｐｏｒｔｅｄ  ｖａｌｕｅ  ｓｈａｌｌ  ｎｏｔ  ｂｅ  ｌｏｗｅｒ  ｔｈａｎ  ｔｈｅ  ｃｏｒｒｅｓｐｏｎｄｉｎｇ  ＲＳＲＰ  ｏｆ  ａｎｙ  ｏｆ  ｔｈｅ  ｉｎｄｉｖｉｄｕａｌ  ｄｉｖｅｒｓｉｔｙ  ｂｒａｎｃｈｅｓ．）
【００８８】
次いで、ＮがＥ−ＵＴＲＡ搬送波ＲＳＳＩ測定帯域幅のＲＢの数であるとき、ＲＳＲＱはＥ−ＵＴＲＡ搬送波ＲＳＳＩに対するＲＳＲＰの比率として、Ｎ＊ＲＳＲＰ／（Ｅ−ＵＴＲＡ  ｃａｒｒｉｅｒ  ＲＳＳＩ）と定義される。（Ｒｅｆｅｒｅｎｃｅ  Ｓｉｇｎａｌ  Ｒｅｃｅｉｖｅｄ  Ｑｕａｌｉｔｙ  （ＲＳＲＱ）  ｉｓ  ｄｅｆｉｎｅｄ  ａｓ  ｔｈｅ  ｒａｔｉｏ  ＮかけるＲＳＲＰ/（Ｅ−ＵＴＲＡ  ｃａｒｒｉｅｒ  ＲＳＳＩ）,  ｗｈｅｒｅ  Ｎ  ｉｓ  ｔｈｅ  ｎｕｍｂｅｒ  ｏｆ  ＲＢ’ｓ  ｏｆ  ｔｈｅ  Ｅ−ＵＴＲＡ  ｃａｒｒｉｅｒ  ＲＳＳｉ  ｍｅａｓｕｒｅｍｅｎｔ  ｂａｎｄｗｉｄｔｈ．）この測定値の分母及び分子は、リソースブロックの同一のセットによって決定される。（Ｔｈｅ  ｍｅａｓｕｒｅｍｅｎｔｓ  ｉｎ  ｔｈｅ  ｎｕｍｅｒａｔｏｒ  ａｎｄ  ｄｅｎｏｍｉｎａｔｏｒ  ｓｈａｌｌ  ｂｅ  ｍａｄｅ  ｏｖｅｒ  ｔｈｅ  ｓａｍｅ  ｓｅｔ  ｏｆ  ｒｅｓｏｕｒｃｅ  ｂｌｏｃｋｓ．）
【００８９】
Ｅ−ＵＴＲＡ搬送波ＲＳＳＩは共同チャンネル（ｃｏ−ｃｈａｎｎｅｌ）サービング及び非サービングセル、隣接チャンネルの干渉、熱雑音などを含む全てのソースからの受信信号に対して、Ｎ個のリソースブロックにわたって、測定帯域幅でアンテナポート０に対する参照シンボルを含むＯＦＤＭシンボルのみで端末によって測定された受信全電力（［Ｗ］単位）の線形平均を含む。（Ｅ−ＵＴＲＡ  Ｃａｒｒｉｅｒ  Ｒｅｃｅｉｖｅｄ  Ｓｉｇｎａｌ  Ｓｔｒｅｎｇｔｈ  Ｉｎｄｉｃａｔｏｒ  （ＲＳＳＩ）,  ｃｏｍｐｒｉｓｅｓ  ｔｈｅ  ｌｉｎｅａｒ  ａｖｅｒａｇｅ  ｏｆ  ｔｈｅ  ｔｏｔａｌ  ｒｅｃｅｉｖｅｄ  ｐｏｗｅｒ  （ｉｎ  ［Ｗ］）  ｏｂｓｅｒｖｅｄ  ｏｎｌｙ  ｉｎ  ＯＦＤＭ  ｓｙｍｂｏｌｓ  ｃｏｎｔａｉｎｉｎｇ  ｒｅｆｅｒｅｎｃｅ  ｓｙｍｂｏｌｓ  ｆｏｒ  ａｎｔｅｎｎａ  ｐｏｒｔ  ０,  ｉｎ  ｔｈｅ  ｍｅａｓｕｒｅｍｅｎｔ  ｂａｎｄｗｉｄｔｈ,  ｏｖｅｒ  Ｎ  ｎｕｍｂｅｒ  ｏｆ  ｒｅｓｏｕｒｃｅ  ｂｌｏｃｋｓ  ｂｙ  ｔｈｅ  ＵＥ  ｆｒｏｍ  ａｌｌ  ｓｏｕｒｃｅｓ,  ｉｎｃｌｕｄｉｎｇ  ｃｏ−ｃｈａｎｎｅｌ  ＳＥＲＶＩＮＧ  ａｎｄ  ｎｏｎ−ＳＥＲＶＩＮＧ  ｃｅｌｌｓ,  ａｄｊａｃｅｎｔ  ｃｈａｎｎｅｌ  ｉｎｔｅｒｆｅｒｅｎｃｅ,  ｔｈｅｒｍａｌ  ｎｏｉｓｅ  ｅｔｃ．）仮に、上位層シグナリングがＲＳＲＱ測定のためにあるサブフレームを指示した場合、指示されたサブフレームにおける全てのＯＦＤＭシンボルに対してＲＳＳＩが測定される。（Ｉｆ  ｈｉｇｈｅｒ−ｌａｙｅｒ  ｓｉｇｎａｌｌｉｎｇ  ｉｎｄｉｃａｔｅｓ  ｃｅｒｔａｉｎ  ｓｕｂｆｒａｍｅｓ  ｆｏｒ  ｐｅｒｆｏｒｍｉｎｇ  ＲＳＲＱ  ｍｅａｓｕｒｅｍｅｎｔｓ,  ｔｈｅｎ  ＲＳＳＩ  ｉｓ  ｍｅａｓｕｒｅｄ  ｏｖｅｒ  ａｌｌ  ＯＦＤＭ  ｓｙｍｂｏｌｓ  ｉｎ  ｔｈｅ  ｉｎｄｉｃａｔｅｄ  ｓｕｂｆｒａｍｅｓ．）
【００９０】
ＲＳＲＱのための参照ポイントは、ＵＥのアンテナコネクターになり得る。（Ｔｈｅ  ｒｅｆｅｒｅｎｃｅ  ｐｏｉｎｔ  ｆｏｒ  ｔｈｅ  ＲＳＲＱ  ｓｈａｌｌ  ｂｅ  ｔｈｅ  ａｎｔｅｎｎａ  ｃｏｎｎｅｃｔｏｒ  ｏｆ  ｔｈｅ  ＵＥ．）
【００９１】
仮に、ＵＥが受信機ダイバーシティを用いる場合、報告される値は個別のダイバーシティブランチに対応するＲＳＲＱより小さくならないようにする。（Ｉｆ  ｒｅｃｅｉｖｅｒ  ｄｉｖｅｒｓｉｔｙ  ｉｓ  ｉｎ  ｕｓｅ  ｂｙ  ｔｈｅ  ＵＥ,  ｔｈｅ  ｒｅｐｏｒｔｅｄ  ｖａｌｕｅ  ｓｈａｌｌ  ｎｏｔ  ｂｅ  ｌｏｗｅｒ  ｔｈａｎ  ｔｈｅ  ｃｏｒｒｅｓｐｏｎｄｉｎｇ  ＲＳＲＱ  ｏｆ  ａｎｙ  ｏｆ  ｔｈｅ  ｉｎｄｉｖｉｄｕａｌ  ｄｉｖｅｒｓｉｔｙ  ｂｒａｎｃｈｅｓ．）
【００９２】
次いで、ＲＳＳＩは受信機パルス状フィルターによって定義された帯域幅内の熱雑音及び受信機から生成された雑音を含む受信された広帯域電力で定義される。（Ｒｅｃｅｉｖｅｄ  Ｓｉｇｎａｌ  Ｓｔｒｅｎｇｔｈ  Ｉｎｄｉｃａｔｏｒ  （ＲＳＳＩ）  ｉｓ  ｄｅｆｉｎｅｄ  ａｓ  ｔｈｅ  ｒｅｃｅｉｖｅｄ  ｗｉｄｅ  ｂａｎｄ  ｐｏｗｅｒ,  ｉｎｃｌｕｄｉｎｇ  ｔｈｅｒｍａｌ  ｎｏｉｓｅ  ａｎｄ  ｎｏｉｓｅ  ｇｅｎｅｒａｔｅｄ  ｉｎ  ｔｈｅ  ｒｅｃｅｉｖｅｒ,  ｗｉｔｈｉｎ  ｔｈｅ  ｂａｎｄｗｉｄｔｈ  ｄｅｆｉｎｅｄ  ｂｙ  ｔｈｅ  ｒｅｃｅｉｖｅｒ  ｐｕｌｓｅ  ｓｈａｐｉｎｇ  ｆｉｌｔｅｒ．）  
【００９３】
測定のための参照ポイントは、ＵＥのアンテナコネクターになり得る。（Ｔｈｅ  ｒｅｆｅｒｅｎｃｅ  ｐｏｉｎｔ  ｆｏｒ  ｔｈｅ  ｍｅａｓｕｒｅｍｅｎｔ  ｓｈａｌｌ  ｂｅ  ｔｈｅ  ａｎｔｅｎｎａ  ｃｏｎｎｅｃｔｏｒ  ｏｆ  ｔｈｅ  ＵＥ．）
【００９４】
仮に、ＵＥが受信機ダイバーシティを用いる場合、報告される値は個別のダイバーシティブランチに対応するＵＴＲＡ搬送波ＲＳＳＩより小さくならないようにする。（Ｉｆ  ｒｅｃｅｉｖｅｒ  ｄｉｖｅｒｓｉｔｙ  ｉｓ  ｉｎ  ｕｓｅ  ｂｙ  ｔｈｅ  ＵＥ,  ｔｈｅ  ｒｅｐｏｒｔｅｄ  ｖａｌｕｅ  ｓｈａｌｌ  ｎｏｔ  ｂｅ  ｌｏｗｅｒ  ｔｈａｎ  ｔｈｅ  ｃｏｒｒｅｓｐｏｎｄｉｎｇ  ＵＴＲＡ  ｃａｒｒｉｅｒ  ＲＳＳＩ  ｏｆ  ａｎｙ  ｏｆ  ｔｈｅ  ｉｎｄｉｖｉｄｕａｌ  ｒｅｃｅｉｖｅ  ａｎｔｅｎｎａ  ｂｒａｎｃｈｅｓ．）
【００９５】
上述した定義に従って、ＬＴＥシステムにおいて動作する端末は、周波数間の測定（Ｉｎｔｒａ−ｆｒｅｑｕｅｎｃｙ  ｍｅａｓｕｒｅｍｅｎｔ）の場合、ＳＩＢ３（ｓｙｓｔｅｍ  ｉｎｆｏｒｍａｔｉｏｎ  ｂｌｏｃｋ  ｔｙｐｅ  ３）から送信される許容された測定帯域幅（Ａｌｌｏｗｅｄ  ｍｅａｓｕｒｅｍｅｎｔ  ｂａｎｄｗｉｄｔｈ）関連のＩＥ（ｉｎｆｏｒｍａｔｉｏｎ  ｅｌｅｍｅｎｔ）を介して指示される帯域幅でＲＳＲＰを測定することができる。また、周波数内の測定（Ｉｎｔｅｒ−ｆｒｅｑｕｅｎｃｙ  ｍｅａｓｕｒｅｍｅｎｔ）である場合、端末はＳＩＢ５から送信される許容された測定帯域幅を介して指示された６、１５、２５、５０、７５、１００ＲＢ（ｒｅｓｏｕｒｃｅ  ｂｌｏｃｋ）のうち１つに対応する帯域幅でＲＳＲＰを測定することができる。また、上述したようなＩＥがない場合、端末はデフォルト動作として全体ＤＬ（ｄｏｗｎｌｉｎｋ）システムの周波数帯域でＲＳＲＰを測定することができる。
【００９６】
このとき、端末が許容された測定帯域幅に対する情報を受信する場合、端末は当該値を最大の測定帯域幅（ｍａｘｉｍｕｍ  ｍｅａｓｕｒｅｍｅｎｔ  ｂａｎｄｗｉｄｔｈ）として当該値においてＲＳＲＰの値を自由に測定することができる。ただし、サービングセルがＷＢ−ＲＳＲＱと定義されるＩＥを端末に送信して、許容された測定帯域幅を５０ＲＢ以上に設定する場合、端末は許容された測定帯域幅に対するＲＳＲＰ値を全て算出する必要がある。一方、端末はＲＳＳＩを測定するとき、ＲＳＳＩ帯域幅の定義に従って端末の受信機が有する周波数帯域を用いてＲＳＳＩを測定する。
【００９７】
２．新たな無線接続技術（Ｎｅｗ  Ｒａｄｉｏ  Ａｃｃｅｓｓ  Ｔｅｃｈｎｏｌｏｇｙ）システム
【００９８】
より多い通信機器がより大きい通信容量を要求するにつれて、従来の無線接続技術（ｒａｄｉｏ  ａｃｃｅｓｓ  ｔｅｃｈｎｏｌｏｇｙ，ＲＡＴ）に比べて向上した端末広帯域（ｍｏｂｉｌｅ  ｂｒｏａｄｂａｎｄ）通信の必要性が高まっている。また、複数の機器及びモノを連結していつでもどこでも様々なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が考慮されている。のみならず、信頼性（ｒｅｌｉａｂｉｌｉｔｙ）及び遅延（ｌａｔｅｎｃｙ）に敏感なサービス／ＵＥを考慮した通信システムデザインも論議されている。
【００９９】
このように、向上した端末広帯域通信（ｅｎｈａｎｃｅｄ  ｍｏｂｉｌｅ  ｂｒｏａｄｂａｎｄ  ｃｏｍｍｕｎｉｃａｔｉｏｎ）、大規模ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した新たな無線接続技術の導入が論議されつつあり、本発明では、便宜のために、当該技術をＮｅｗ  ＲＡＴ又はＮＲ（Ｎｅｗ  Ｒａｄｉｏ）と称する。
【０１００】
２．１．セルフサブフレーム構造（Ｓｅｌｆ−ｃｏｎｔａｉｎｅｄ  ｓｕｂｆｒａｍｅ  ｓｔｒｕｃｔｕｒｅ）
【０１０１】
図６は、本発明に適用可能なセルフサブフレーム構造（Ｓｅｌｆ−ｃｏｎｔａｉｎｅｄ  ｓｕｂｆｒａｍｅ  ｓｔｒｕｃｔｕｒｅ）を示す図である。
【０１０２】
本発明が適用可能なＮＲシステムでは、ＴＤＤシステムにおいてデータ送信遅延を最小化するために、図６のようなセルフサブフレーム構造を説明する。
【０１０３】
図６において、斜線領域（例えば、ｓｙｍｂｏｌ  ｉｎｄｅｘ＝０）は、下りリンク制御（ｄｏｗｎｌｉｎｋ  ｃｏｎｔｒｏｌ）領域を示し、黒塗り領域（例えば、ｓｙｍｂｏｌ  ｉｎｄｅｘ＝１３）は、上りリンク制御（ｕｐｌｉｎｋ  ｃｏｎｔｒｏｌ）領域を示す。その他の領域（例えば、ｓｙｍｂｏｌ  ｉｎｄｅｘ＝１〜１２）は、下りリンクデータ送信のために用いられてもよく、上りリンクデータ送信のために用いられてもよい。
【０１０４】
このような構造の特徴は、１つのサブフレームにおいてＤＬ送信とＵＬ送信とを順次に行うことができ、１つのサブフレームにおいてＤＬデータを送受信して、これに対するＵＬ  ＡＣＫ／ＮＡＣＫを送受信することもできる。結果として、かかる構造は、データ送信エラー発生時にデータの再送信までかかる時間を減らし、これによって最終データ伝達の遅延を最小化することができる。
【０１０５】
このようなセルフサブフレーム（ｓｅｌｆ−ｃｏｎｔａｉｎｅｄ  ｓｕｂｆｒａｍｅ）構造において、基地局とＵＥが送信モードから受信モードに切り替えられ、又は受信モードから送信モードに切り替えられるためには、所定時間長さのタイムギャップ（ｔｉｍｅ  ｇａｐ）が必要である。そのために、セルフサブフレーム構造において、ＤＬからＵＬに切り替えられる時点の一部のＯＦＤＭシンボルは、ガード区間（ｇｕａｒｄ  ｐｅｒｉｏｄ，ＧＰ）として設定される。
【０１０６】
上では、セルフサブフレーム（ｓｅｌｆ−ｃｏｎｔａｉｎｅｄ  ｓｕｂｆｒａｍｅ）構造がＤＬ制御領域及びＵＬ制御領域を両方含む場合を説明したが、制御領域はセルフサブフレーム構造に選択的に含まれてもよい。換言すれば、本発明によるセルフサブフレーム構造は、図６のように、ＤＬ制御領域及びＵＬ制御領域を両方含む場合に限られず、ＤＬ制御領域又はＵＬ制御領域のみを含む場合であってもよい。
【０１０７】
また、説明の便宜のために、上述したようなフレーム構造をサブフレームと称したが、当該構成は、フレーム又はスロットなどと称されてもよい。一例として、ＮＲシステムでは、複数のシンボルからなる１つの単位をスロットと称して、以下の説明では、サブフレーム又はフレームは、上述したスロットに置き換えてもよい。
【０１０８】
２．２．ＯＦＤＭニューマロロジー（ｎｕｍｅｒｏｌｏｇｙ）
【０１０９】
ＮＲシステムは、ＯＦＤＭ送信方式又はこれと類似した送信方式を用いる。代表的に、ＮＲシステムは、表２のようなＯＦＤＭニューマロロジーを有する。
【０１１０】
【表２】
2020504470.tif 000007
【０１１１】
また、ＮＲシステムは、ＯＦＤＭ送信方式又はこれと類似した送信方式を用いて、表３のような多数のＯＦＤＭニューマロロジーから選ばれたＯＦＤＭニューマロロジーを用いることができる。具体的には、表３に示すように、ＮＲシステムは、ＬＴＥシステムで用いられる１５ｋＨｚ副搬送波スペーシング（ｓｕｂｃａｒｒｉｅｒ−ｓｐａｃｉｎｇ）をベースとして、上述の１５ｋＨｚ副搬送波スペーシングの倍数の関係にある３０、６０、１２０ｋＨｚの副搬送波スペーシングを有するＯＦＤＭニューマロロジーを用いることができる。  
【０１１２】
このとき、表３に示すサイクリックプレフィックス（Ｃｙｃｌｉｃ  Ｐｒｅｆｉｘ）、システム帯域幅（Ｓｙｓｔｅｍ  ＢＷ）、利用可能な副搬送波（ａｖａｉｌａｂｌｅ  ｓｕｂｃａｒｒｉｅｒｓ）の数は、本発明によるＮＲシステムに適用可能な一例に過ぎず、実現方式によって上述した値は変更されてもよい。代表的に、６０ｋＨｚの副搬送波スペーシングの場合、システム帯域幅は１００ＭＨｚと設定されてもよく、この場合、利用可能な副搬送波の数は１５００超え１６６６未満の値である。また、表４に示すサブフレームの長さ（Ｓｕｂｆｒａｍｅ  ｌｅｎｇｔｈ）及びサブフレーム当たりＯＦＤＭシンボルの数も本発明によるＮＲシステムに適用可能な一例に過ぎず、実現方式によって上述した値は変更されてもよい。
【０１１３】
【表３】
2020504470.tif 000008
【０１１４】
２．３．アナログビームフォーミング（Ａｎａｌｏｇ  Ｂｅａｍｆｏｒｍｉｎｇ）
【０１１５】
ミリ波（Ｍｉｌｌｉｍｅｔｅｒ  Ｗａｖｅ，ｍｍＷ）では波長が短いので、同一面積に多数のアンテナ要素（ｅｌｅｍｅｎｔ）の設置が可能である。即ち、３０ＧＨｚ帯域において波長は１ｃｍであるので、５＊５ｃｍのパネル（ｐａｎｅｌ）に０．５ｌａｍｂｄａ（波長）間隔で２次元（２−ｄｉｍｅｎｓｉｏｎ）配列する場合、全１００個のアンテナ要素を設けることができる。これにより、ミリ波（ｍｍＷ）では多数のアンテナ要素を使用してビームフォーミング（ｂｅａｍｆｏｒｍｉｎｇ、ＢＦ）利得を上げてカバレッジを増加させるか、或いはスループット（ｔｈｒｏｕｇｈｐｕｔ）を向上させることができる。
【０１１６】
この時、アンテナ要素ごとに送信パワー及び位相の調節ができるように、各々のアンテナ要素はＴＸＲＵ（Ｔｒａｎｓｃｅｉｖｅｒ Ｕｎｉｔ）を含む。これにより、各々のアンテナ要素は周波数リソースごとに独立したビームフォーミングを行うことができる。
【０１１７】
しかし、１００個余りの全てのアンテナ要素にＴＸＲＵを設けることは費用面で実効性が乏しい。従って、１つのＴＸＲＵに多数のアンテナ要素をマップし、アナログ位相シフター（ａｎａｌｏｇ  ｐｈａｓｅ  ｓｈｉｆｔｅｒ）でビーム（ｂｅａｍ）方向を調節する方式が考えられている。かかるアナログビームフォーミング方式では全帯域において１つのビーム方向のみが形成できるので、周波数選択的なビームフォーミングが難しいというデメリットがある。
【０１１８】
これを解決するために、デジタルビームフォーミング及びアナログビームフォーミングの中間形態として、Ｑ個のアンテナ要素より少ない数のＢ個のＴＸＲＵを有するハイブリッドビームフォーミング（ｈｙｂｒｉｄ  ＢＦ）が考えられる。この場合、Ｂ個のＴＸＲＵとＱ個のアンテナ要素の連結方式によって差はあるが、同時に送信可能なビーム（ｂｅａｍ）の方向はＢ個以下に制限される。
【０１１９】
図７及び図８は、ＴＸＲＵとアンテナ要素（ｅｌｅｍｅｎｔ）の代表的な連結方式を示す図である。ここで、ＴＸＲＵ仮想化（ｖｉｒｔｕａｌｉｚａｔｉｏｎ）モデルは、ＴＸＲＵの出力信号とアンテナ要素の出力信号との関係を示す。
【０１２０】
図７はＴＸＲＵがサブアレイ（ｓｕｂ−ａｒｒａｙ）に連結された方式を示している。図７の場合、アンテナ要素は１つのＴＸＲＵにのみ連結される。
【０１２１】
一方、図８はＴＸＲＵが全てのアンテナ要素に連結された方式を示している。図８の場合、アンテナ要素は全てのＴＸＲＵに連結される。この時、アンテナ要素が全てのＴＸＲＵに連結されるためには、図８に示したように、別の加算器が必要である。
【０１２２】
図７及び図８において、Ｗはアナログ位相シフター（ａｎａｌｏｇ  ｐｈａｓｅ  ｓｈｉｆｔｅｒ）により乗じられる位相ベクトルを示す。即ち、Ｗはアナログビームフォーミングの方向を決定する主要パラメータである。ここで、ＣＳＩ−ＲＳアンテナポートと複数のＴＸＲＵとのマッピングは１：１又は１：多（１−ｔｏ−ｍａｎｙ）である。
【０１２３】
図７の構成によれば、ビームフォーミングのフォーカシングが難しいというデメリットがあるが、全てのアンテナ構成を低価で構成できるというメリットがある。
【０１２４】
図８の構成によれば、ビームフォーミングのフォーカシングが容易であるというメリットがある。但し、全てのアンテナ要素にＴＸＲＵが連結されるので、全体費用が増加するというデメリットがある。
【０１２５】
本発明が適用可能なＮＲシステムにおいて複数のアンテナが用いられる場合、デジタルビームフォーミング（Ｄｉｇｉｔａｌ  ｂｅａｍｆｏｒｍｉｎｇ）とアナログビームフォーミング（Ａｎａｌｏｇ  ｂｅａｍｆｏｒｍｉｎｇ）とを組み合わせたハイブリッドビームフォーミング（Ｈｙｂｒｉｄ  ｂｅａｍｆｏｒｍｉｎｇ）法が適用される。このとき、アナログビームフォーミング（又は、ＲＦ（Ｒａｄｉｏ  Ｆｒｅｑｕｅｎｃｙ）ビームフォーミング）は、ＲＦ端においてプリコーディング（又は、コンバイニング（Ｃｏｍｂｉｎｉｎｇ））を行う動作を意味する。また、ハイブリッドビームフォーミングでベースバンド（Ｂａｓｅｂａｎｄ）端とＲＦ端はそれぞれプリコーディング（又は、コンバイニング）を行う。これによって、ＲＦチェーン数とＤ／Ａ（Ｄｉｇｉｔａｌ−ｔｏ−Ａｎａｌｏｇ）（又は、Ａ／Ｄ（Ａｎａｌｏｇ−ｔｏ−Ｄｉｇｉｔａｌ）コンバータ数を減らしながらもデジタルビームフォーミングに近づく性能が発揮できるというメリットがある。
【０１２６】
説明の便宜のために、ハイブリッドビームフォーミング構造は、Ｎ個の送受信端（Ｔｒａｎｓｃｅｉｖｅｒ  ｕｎｉｔ，ＴＸＲＵ）とＭ個の物理アンテナで表現される。このとき、送信端から送信するＬ個のデータ階層（Ｄａｔａ  ｌａｙｅｒ）に対するデジタルビームフォーミングはＮ＊Ｌ（Ｎ  ｂｙ  Ｌ）行列で表現される。この後、変換されたＮ個のデジタル信号はＴＸＲＵを経てアナログ信号に変換され、変換された信号に対してＭ＊Ｎ（Ｍ  ｂｙ  Ｎ）行列で表現されるアナログビームフォーミングが適用される。
【０１２７】
図９は、本発明の一例によるＴＸＲＵ及び物理アンテナの観点におけるハイブリッドビームフォーミングの構造を簡単に示す図である。このとき、図９においてデジタルビーム数はＬ個であり、アナログビーム数はＮ個である。
【０１２８】
さらに、本発明が適用可能なＮＲシステムでは、基地局がアナログビームフォーミングをシンボル単位に変更できるように設計して、特定の地域に位置した端末により効率的なビームフォーミングを支援する方法を考慮している。また、図９のように、特定のＮ個のＴＸＲＵとＭ個のＲＦアンテナを１つのアンテナパネル（ｐａｎｅｌ）と定義するとき、本発明によるＮＲシステムでは、互いに独立したハイブリッドビームフォーミングが適用可能な複数のアンテナパネルを導入する方法まで考慮されている。
【０１２９】
上述したように、基地局が複数のアナログビームを活用する場合、各々の端末において信号受信に有利なアナログビームが異なる。これにより、本発明が適用できるＮＲシステムでは、基地局が特定のサブフレーム（ＳＦ）においてシンボルごとに異なるアナログビームを適用して（少なくとも同期信号、システム情報、ページング（Ｐａｇｉｎｇ）など）信号を送信することで、全ての端末が受信機会を得るようにするビームスイーピング（Ｂｅａｍ  ｓｗｅｅｐｉｎｇ）動作が考慮されている。
【０１３０】
図１０は、本発明の一例による下りリンク（Ｄｏｗｎｌｉｎｋ，ＤＬ）送信過程において、同期信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対するビームスイーピング（Ｂｅａｍ  ｓｗｅｅｐｉｎｇ）動作を簡単に示す図である。
【０１３１】
図１０において、本発明が適用可能なＮＲシステムのシステム情報がブロードキャスティング（Ｂｒｏａｄｃａｓｔｉｎｇ）方式で送信される物理的リソース（又は物理チャンネル）をｘＰＢＣＨ（ｐｈｙｓｉｃａｌ  ｂｒｏａｄｃａｓｔ  ｃｈａｎｎｅｌ）と称する。この時、１つのシンボル内で互いに異なるアンテナパネルに属する複数のアナログビームは同時に送信可能である。
【０１３２】
また図１０に示したように、本発明が適用可能なＮＲシステムにおいて、アナログビームごとのチャンネルを測定するための構成であって、（所定のアンテナパネルに対応する）単一のアナログビームが適用されて送信される参照信号（Ｒｅｆｅｒｅｎｃｅ  ｓｉｇｎａｌ，ＲＳ）であるビーム参照信号（Ｂｅａｍ  ＲＳ、ＢＲＳ）の導入が論議されている。ＢＲＳは複数のアンテナポートに対して定義され、ＢＲＳの各々のアンテナポートは単一のアナログビームに対応する。この時、ＢＲＳとは異なり、同期信号又はｘＰＢＣＨは、任意の端末がよく受信するようにアナログビームのグループ内の全てのアナログビームが適用されて送信される。
【０１３３】
３．提案する実施例
【０１３４】
以下、上記のような技術的思想に基づいて本発明が提案する上りリンク制御チャンネルの送受信方法について詳しく説明する。
【０１３５】
先ず、説明の便宜のために、本発明において適用可能なＰＵＣＣＨ（Ｐｈｙｓｉｃａｌ  Ｕｐｌｉｎｋ  Ｃｏｎｔｒｏｌ  ＣＨａｎｎｅｌ）の構造は大きく３つの種類に区分できる。
【０１３６】
（１）１シンボル（Ｏｎｅ  ｓｙｍｂｏｌ）ＰＵＣＣＨ
【０１３７】
（２）多重シンボル（Ｍｕｌｔｉ−ｓｙｍｂｏｌ、複数シンボル）ＰＵＣＣＨ（例えば、２シンボル以上のシンボルから送信されるＰＵＣＣＨ）
【０１３８】
（３）ＬＴＥシステムのＰＵＣＣＨの変形例
【０１３９】
先ず、図６に示されたサブフレーム又はスロットの構造のように大体のシンボルが下りリンク（ＤＬ）で構成される場合、１シンボルＰＵＣＣＨは前記サブフレーム又はスロットの構造の最後（又は、特定の）シンボルから送信される。
【０１４０】
ただし、セル境界（又は、端部）に位置したＵＥを考慮するとき、１つのシンボルでのみ送信されるＰＵＣＣＨはエネルギー（又は、送信電力）が十分ではなく、前記セル境界に位置したＵＥまで安定したＰＵＣＣＨ送信が保証できないことがある。この事項を考慮すれば、１シンボルＰＵＣＣＨよりも多い時間領域に送信されるＰＵＣＣＨである多重シンボル（ｍｕｌｔｉ−ｓｙｍｂｏｌ）ＰＵＣＣＨが考えられる。  
【０１４１】
このとき、多重シンボルＰＵＣＣＨが送信される複数のシンボルは、特定のサブフレーム又は特定のスロットのうち一部のシンボルで構成されるか、サブフレーム又はスロット全体に含まれた全てのシンボルで構成されてもよい。また、多重シンボルＰＵＣＣＨが送信される複数のシンボルは、複数のサブフレーム又はスロットにわたる複数のシンボルで構成されてもよい。
【０１４２】
また、上述したように、複数のシンボルにわたってＰＵＣＣＨが送信される場合、ＬＴＥシステムのＰＵＣＣＨ構造を最大に再活用するＰＵＣＣＨ構造も考えられる。このとき、１つのサブフレーム又はスロット内のＵＬ領域が様々なサイズとして設定されるため、本発明によるＮＲシステムに適用可能なＰＵＣＣＨ構造は、ＬＴＥシステムのＰＵＣＣＨが送信される時間領域シンボル数によって変形される構造で設計されてもよい。
【０１４３】
以下、本発明において提案する各々のＰＵＣＣＨ構造の特徴について詳細に説明する。
【０１４４】
３．１．１シンボルＰＵＣＣＨ（Ｏｎｅ  ｓｙｍｂｏｌ  ＰＵＣＣＨ）
【０１４５】
図１１は、本発明の一例による１シンボルＰＵＣＣＨの構造を示す図である。より詳細には、図１１（ａ）では、１シンボルＰＵＣＣＨを介して送信されるＲＳ（Ｒｅｆｅｒｅｎｃｅ  Ｓｉｇｎａｌ）とＵＣＩ（Ｕｐｌｉｎｋ  Ｃｏｎｔｒｏｌ  Ｉｎｆｏｒｍａｔｉｏｎ）がＦＤＭ（Ｆｒｅｑｕｅｎｃｙ  Ｄｉｖｉｓｉｏｎ  Ｍｕｌｔｉｐｌｅｘｉｎｇ）される構造を示し、図１１（ｂ）では、１シンボルＰＵＣＣＨを介して送信されるＲＳとＵＣＩがＴＤＭ（Ｔｉｍｅ  Ｄｉｖｉｓｉｏｎ  Ｍｕｌｔｉｐｌｅｘｉｎｇ）される構造を示す。
【０１４６】
先ず、図１１（ａ）のように、ＲＳとＵＣＩが送信される副搬送波（ｓｕｂｃａｒｒｉｅｒ）又は副搬送波グループ（ｓｕｂｃａｒｒｉｅｒ  ｇｒｏｕｐ）は互いにＦＤＭされることができる。このとき、ＵＣＩはＨＡＲＱ−ＡＣＫ及び／又はＣＳＩ（Ｃｈａｎｎｅｌ  Ｓｔａｔｅ  Ｉｎｆｏｒｍａｔｉｏｎ）及び／又はスケジューリング要求（ｓｃｈｅｄｕｌｉｎｇ  ｒｅｑｕｅｓｔ，ＳＲ）及び／又はビーム（ｂｅａｍ）に関する情報などを含んでもよい。
【０１４７】
また、図１１（ｂ）のように、ＲＳとＵＣＩが送信されるシンボルは、シンボルに対する副搬送波間隔（ｓｕｂｃａｒｒｉｅｒ  ｓｐａｃｉｎｇ）が増加して複数の副シンボル（ｓｕｂ−ｓｙｍｂｏｌ）で構成されてもよい。このとき、複数の副シンボルのうちＲＳが送信される一部の副シンボルは、ＵＣＩが送信される他の副シンボルと互いにＴＤＭされてもよい。
【０１４８】
好ましい一例として、ＵＥのＵＣＩ送信のためのデコーディング時間（ｄｅｃｏｄｉｎｇ  ｔｉｍｅ）をさらに保証するための方法として、前記ＵＥはＲＳをＵＣＩより時間次元において先の副シンボルから送信する。
【０１４９】
図１１において、連続した副搬送波のグループ（又は、コンム（ｃｏｍｂ）構造である場合、一定間隔で離隔した副搬送波のグループ）をＵＬ  ＲＥＧ（ｒｅｓｏｕｒｃｅ  ｅｌｅｍｅｎｔ  ｇｒｏｕｐ）と定義すると仮定する。
【０１５０】
この場合、図１１（ａ）によれば、ＵＬ  ＲＥＧ内に一部の副搬送波を介してＲＳが送信され、ＵＬ  ＲＥＧ内の他の副搬送波を介してＵＣＩが送信される。また、各々のＵＬ  ＲＥＧはＲＳ又はＵＣＩを送信する副搬送波のみを含むことができる。
【０１５１】
また、図１１（ｂ）によれば、ＵＬ  ＲＥＧ内に一部の副シンボルの全ての副搬送波を介してＲＳが送信され、他の副シンボルの全ての副搬送波を介してＵＣＩが送信される。
【０１５２】
このような複数のＵＬ  ＲＥＧは、１つのＵＬ  ＣＣＥ（ｃｏｎｔｒｏｌ  ｃｈａｎｎｅｌ  ｅｌｅｍｅｎｔ）を構成する。よって、１シンボルＰＵＣＣＨの場合、ＵＬ  ＣＣＥを構成する全てのＵＬ  ＲＥＧは、同一のシンボルに存在する。このとき、説明の便宜のために、ＵＬ  ＣＣＥを構成するＵＬ  ＲＥＧが連続的な（ｃｏｎｓｅｃｕｔｉｖｅ）周波数リソースで構成される構造は、局部的な構造（ｌｏｃａｌｉｚｅｄ  ｓｔｒｕｃｔｕｒｅ）と称し、ＵＬ  ＣＣＥを構成するＵＬ  ＲＥＧが非連続的な周波数リソースで構成される構造は、分散的な構造（ｄｉｓｔｒｉｂｕｔｅｄ  ｓｔｒｕｃｔｕｒｅ）と称する。
【０１５３】
上述した例示において、ＲＳはザドフチューシーケンス（Ｚａｄｏｆｆ−Ｃｈｕ  ｓｅｑｕｅｎｃｅ）ベースで生成又は送信されるか、疑似任意シーケンス（ｐｓｅｕｄｏ  ｒａｎｄｏｍ  ｓｅｑＵＥｎｃｅ）ベースで生成又は送信される。一例として、図１１（ｂ）のように、ＵＥがＰＵＣＣＨを送信する場合、ＲＳがザドフチューシーケンスベースで送信されると、ＰＡＰＲ（Ｐｅａｋ  ｔｏ  Ａｖｅｒａｇｅ  Ｐｏｗｅｒ  Ｒａｔｉｏ）の減少面において利得があり得る。
【０１５４】
さらに、ＵＥは送信しようとするＵＣＩペイロードサイズ（ＵＣＩ  ｐａｙｌｏａｄ  ｓｉｚｅ）によって互いに異なるフォーマット（ｆｏｒｍａｔ）で構成されたＵＣＩを送信することができる。
【０１５５】
一例として、ＵＥはＵＣＩペイロードサイズがＫビット（例えば、Ｋ＝２）以下である場合、シーケンスベース（例えば、ザドフチューシーケンス又は擬似任意シーケンス）で生成されたＵＣＩを上述した１シンボルＰＵＣＣＨ構造又はその他の１シンボルＰＵＣＣＨ構造を用いて送信することができる。このとき、その他の１シンボルＰＵＣＣＨ構造は、ＲＳなくシーケンスベースのＵＣＩを送信するＰＵＣＣＨ構造を含んでもよい。
【０１５６】
別の例として、ＵＥはＵＣＩペイロードサイズがＫビットを超える場合、コードされたビットをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）又はＤＦＴＳ−ＯＦＤＭ（Ｄｉｓｃｒｅｔｅ  Ｆｏｕｒｉｅｒ  Ｔｒａｎｓｆｏｒｍ−ｓｐｒｅａｄ−ＯＦＤＭ）変換して送信する。上述した１シンボルＰＵＣＣＨ構造又はその他の１シンボルＰＵＣＣＨ構造を用いて送信することができる。ここで、ＵＥがＯＦＤＭ又はＤＦＴＳ−ＯＦＤＭのうちいずれの変換方法を適用するかは、後述する別の設定方法（４．１．欄）によって設定される。
【０１５７】
３．２．多重シンボルＰＵＣＣＨ（Ｍｕｌｔｉ−ｓｙｍｂｏｌ  ＰＵＣＣＨ）
【０１５８】
図１２は、本発明の一例による多重シンボルＰＵＣＣＨの構造を示す図である。
【０１５９】
より具体的には、本発明に適用可能な多重シンボルＰＵＣＣＨ構造は、上述した１シンボルＰＵＣＣＨ構造を拡張適用して設計される。説明の便宜のために、図１２は、本発明に適用可能な多重シンボルＰＵＣＣＨ構造が２シンボルＰＵＣＣＨ構造である場合を示す。
【０１６０】
一例として、図１２（ａ）では、各々のシンボルでＲＳとＵＣＩがＦＤＭされるＰＵＣＣＨ構造が時間領域において繰り返し（ｒｅｐｅｔｉｔｉｏｎ）される構造を示し、図１２（ｂ）では、２つのシンボルに対してＲＳとＵＣＩがＴＤＭされる構造を示す。
【０１６１】
ＵＥは図１２のＲＳ及びＵＣＩを送信するために、上述した送信方法を適用することができる。
【０１６２】
より具体的には、ＵＥはＲＳをザドフチューシーケンスベースとして生成して送信するか、擬似任意シーケンスベースとして生成して送信することができる。特に、ＵＥが図１２（ｂ）のようなＰＵＣＣＨ構造でＲＳ及びＵＣＩを送信する場合、ザドフチューシーケンスベースで送信されるＲＳはＰＡＰＲを減少させることができる。
【０１６３】
また、ＵＥはＵＣＩペイロードサイズがＫビット（例えば、Ｋ＝２）以下である場合、シーケンスベース（例えば、ザドフチューシーケンス又は擬似任意シーケンス）で生成されたＵＣＩを上述した２シンボルＰＵＣＣＨ構造又はその他の２シンボルＰＵＣＣＨ構造を用いて送信することができる。
【０１６４】
また、ＵＥはＵＣＩペイロードサイズがＫビットを超える場合、コードされたビットをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）又はＤＦＴＳ−ＯＦＤＭ（Ｄｉｓｃｒｅｔｅ  Ｆｏｕｒｉｅｒ  Ｔｒａｎｓｆｏｒｍ−ｓｐｒｅａｄ−ＯＦＤＭ）変換して送信することができる。上述した２シンボルＰＵＣＣＨ構造又はその他の２シンボルＰＵＣＣＨ構造を用いて送信することができる。ここで、ＵＥがＯＦＤＭ又はＤＦＴＳ−ＯＦＤＭのうちいずれの変換方法を適用するかは、後述する別の設定方法（４．１．欄）によって設定される。
【０１６５】
さらに、多重シンボルＰＵＣＣＨ構造は、４シンボル以上のＰＵＣＣＨ構造を有してもよい。
【０１６６】
このとき、図１２（ａ）に示された２シンボルＰＵＣＣＨ構造を拡張適用することができる。これによれば、本発明による多重シンボルＰＵＣＣＨ構造（例えば、４シンボルＰＵＣＣＨ構造）は、上述した２シンボルＰＵＣＣＨ構造が時間次元で繰り返される構造であってもよい。
【０１６７】
また、本発明による多重シンボルＰＵＣＣＨ構造（例えば、４シンボルＰＵＣＣＨ構造）は、図１３のように拡張されてもよい。
【０１６８】
図１３は、本発明の別の例による多重シンボルＰＵＣＣＨの構造を示す図である。
【０１６９】
図１３に示しように、ＲＳとＵＣＩがＴＤＭされて送信される多重シンボルＰＵＣＣＨ構造の場合、本発明による多重シンボルＰＵＣＣＨ構造はＲＳが最初のシンボルからのみ送信される図１３（ａ）のようなＰＵＣＣＨ構造を有するか、ＲＳが特定のシンボル（例えば、ＰＵＣＣＨが送信されるシンボルのうち第３番目のシンボル又は時間次元で最後から第２番目のシンボルなど）から送信される図１３（ｂ）のようなＰＵＣＣＨ構造を有してもよい。
【０１７０】
ＵＥが図１３（ａ）のようなＰＵＣＣＨ構造によってＲＳ及びＵＣＩを送信する場合、先に送信されるＲＳ（ｆｒｏｎｔ−ｌｏａｄｅｄ  ＲＳ）による早期デコーディング（ｅａｒｌｙ  ｄｅｃｏｄｉｎｇ）利得を極大化するために、ＵＥはＨＡＲＱ−ＡＣＫ情報を時間次元で他の情報よりも先行して送信することができる。
【０１７１】
一例として、ＵＣＩがＨＡＲＱ−ＡＣＫ情報とＣＳＩ情報（及びビーム関連情報など）を全て含む場合、ＵＥはＨＡＲＱ−ＡＣＫとＣＳＩ情報に対してそれぞれ分離コーディング（ｓｅｐａｒａｔｅ  ｃｏｄｉｎｇ）を行った後、ＨＡＲＱ−ＡＣＫコーディングビットを時間軸に先行するシンボルからマップして送信する。この方法は、相対的に重要度の高いＨＡＲＱ−ＡＣＫ情報をＲＳ近傍に配置することで、ＨＡＲＱ−ＡＣＫ情報の信頼性（ｒｅｌｉａｂｉｌｉｔｙ）を増大させるというメリットがある。
【０１７２】
この変形例として、図１３（ｂ）のように、ＲＳシンボルが他のＵＣＩに比べて先に送信されない場合であっても、ＵＥはＨＡＲＱ−ＡＣＫとＣＳＩに対する分離コーディングを行った後、ＲＳシンボルに隣接したシンボル（さらに、時間軸に先行するシンボルにＨＡＲＱ−ＡＣＫ情報が優先してマップされてもよい ）にＨＡＲＱ−ＡＣＫ情報をマップして送信する。
【０１７３】
周波数ホッピング（ｆｒｅｑｕｅｎｃｙ  ｈｏｐｐｉｎｇ）が適用される４シンボル以上の長い区間のＰＵＣＣＨ（ｌｏｎｇ  ｄｕｒａｔｉｏｎ  ＰＵＣＣＨ）の場合、上述したようなマッピング／送信方法は、各ホップ（ｈｏｐ）ごとに適用されてもよい。
【０１７４】
また、ＵＥはＨＡＲＱ−ＡＣＫとＣＳＩに対する分離コーディングを行った後、２つのホップのうち先行するホップ（又は、周波数ホッピング有無には関係なく先行する一部のシンボル）にはＨＡＲＱ−ＡＣＫ情報のみマップし、後行するホップ（又は、周波数ホッピング可否には関係なく後行する一部のシンボル）にはＣＳＩ情報のみマップして送信してもよい。
【０１７５】
上述したような場合、ＨＡＲＱ−ＡＣＫ情報が載せられる（又は、送信される）ホップ（又は、シンボル）とＣＳＩ情報のみが載せられる（又は、送信される）ホップ（又は、シンボル）との間のＲＳ密度は異なってもよい。特に、ＨＡＲＱ−ＡＣＫ情報が載せられる（又は、送信される）ホップ（又は、シンボル）にはより多いＲＳシンボルが含まれる。ただし、上述した例示にはＨＡＲＱ−ＡＣＫ情報とＣＳＩ情報が載せられる（又は、送信される）ホップ（又は、シンボル）間の相関関係に対してのみ方法を記述したが、様々なＵＣＩ情報からなるＰＵＣＣＨにおいて優先順位の高いＵＣＩ情報（例えば、ＳＲ、ＨＡＲＱ−ＡＣＫ、又は非周期的（ａｐｅｒｉｏｄｉｃ）ＣＳＩ）は、上述した方法のＨＡＲＱ−ＡＣＫに対応して、優先順位の低いＵＣＩ情報（例えば、周期的（ｐｅｒｉｏｄｉｃ）ＣＳＩ）は、上述した方法のＣＳＩに対応する。
【０１７６】
図１３（ｂ）のような送信方法の場合、図１２（ｂ）のように、互いに異なる長さのＰＵＣＣＨと多重化（ｍｕｌｔｉｐｌｅｘｉｎｇ）が可能であるというメリットがある。
【０１７７】
このとき、ＲＳシンボルの位置は、特定のサブフレーム又はスロットを成すシンボルのうち最後から第２番目のシンボルにのみ固定されてもよい。又は、ＲＳシンボルの位置は、実際にＰＵＣＣＨが送信されるシンボルのうち最後から第２番目のシンボル（及び、さらに前記シンボルをベースとして予め定められた間隔で離隔されたシンボル）と設定されてもよい。
【０１７８】
一例として、２シンボルごとにＲＳが追加送信されるように設定されたと仮定する。このとき、ＲＳはンボル１０／１１／１２／１３から送信されるＰＵＣＣＨ内のシンボル１０／１２から送信される。または、ＲＳはシンボル９／１０／１１／１２／１３から送信されるＰＵＣＣＨ内のシンボル１０／１２から送信される。または、ＲＳはシンボル８／９／１０／１１／１２／１３から送信されるＰＵＣＣＨ内のシンボル８／１０／１２から送信される。
【０１７９】
さらに、より柔軟な（ｆｌｅｘｉｂｌｅ）方法として、ＵＥがＰＵＣＣＨを構成する複数のシンボルのうちいずれのシンボルからＲＳを送信するかはＬ１シグナリング（例えば、ＰＨＹ）又は上位層シグナリング（例えば、ＲＲＣ）によって設定されてもよい。
【０１８０】
図１２（ａ）のようにＦＤＭされたＲＳ及びＵＣＩが複数のシンボルにわたって送信されるか、図１３のようにＵＣＩが複数のシンボルにわたって送信される場合、各シンボル別に送信されるＵＣＩは互いに同一であってもよく、互いに異なってもよい。
【０１８１】
具体的に、シンボル間の情報が同一の場合、ＯＣＣ（ｏｒｔｈｏｇｏｎａｌ  ｃｏｖｅｒ  ｃｏｄｅ）が適用されてＵＥ間の多重化が許容（又は、支援）されてもよい。一例として、ＵＥ１とＵＥ２が図１２（ａ）のようにＰＵＣＣＨを送信する場合、ＵＥ１が最後のシンボル（ｌａｓｔ  ｓｙｍｂｏｌ）及び最後から第２番目のシンボル（ｓｅｃｏｎｄ  ｌａｓｔ  ｓｙｍｂｏｌ）から送信するＵＣＩ（及び／又はＲＳ）は互いに同一であり、ＵＥ２が最後のシンボル（ｌａｓｔ  ｓｙｍｂｏｌ）及び最後から第２番目のシンボル（ｓｅｃｏｎｄ  ｌａｓｔ  ｓｙｍｂｏｌ）から送信するＵＣＩ（及び／又はＲＳ）は互いに同一であってもよい。このとき、各ＵＥ別のＵＣＩ（及び／又はＲＳ）に対して長さ２（２−ｌｅｎｇｔｈ）のＯＣＣ（例えば、［１，１］及び［１，−１］）をシンボルごとに適用する場合、ＵＥ１とＵＥ２のＰＵＣＣＨは同一の周波数領域でＣＤＭされて送信される。
【０１８２】
また、ＵＥ１とＵＥ２が図１３（ａ）のようにＰＵＣＣＨを送信する場合、ＵＥ１が最後のシンボル（ｌａｓｔ  ｓｙｍｂｏｌ）、最後から第２番目のシンボル（ｓｅｃｏｎｄ  ｌａｓｔ  ｓｙｍｂｏｌ）及び最後から第３番目のシンボル（ｔｈｉｒｄ  ｌａｓｔ  ｓｙｍｂｏｌ）から送信するＵＣＩは互いに同一であり、ＵＥ２が最後のシンボル（ｌａｓｔ  ｓｙｍｂｏｌ）、最後から第２番目のシンボル（ｓｅｃｏｎｄ  ｌａｓｔ  ｓｙｍｂｏｌ）及び最後から第３番目のシンボル（ｔｈｉｒｄ  ｌａｓｔ  ｓｙｍｂｏｌ）から送信するＵＣＩは互いに同一であってもよい。このとき、各ＵＥ別のＵＣＩに対して長さ３のＯＣＣをシンボルごとに適用する場合、ＵＥ１とＵＥ２（最大に３つのＵＥまで）のＰＵＣＣＨは同一の周波数領域でＣＤＭされて送信される。このとき、各ＵＥが送信するＲＳは基本シーケンス（ｂａｓｅ  ｓｅｑＵＥｎｃｅ）及び／又は循環シフト（ｃｙｃｌｉｃ  ｓｈｉｆｔ）などの値を異ならせて適用することでＵＥ間の直交性を満たすことができる。
【０１８３】
また、ＰＵＣＣＨを構成するシンボル数の異なるＰＵＣＣＨ間のＣＤＭを考慮する場合、各ＵＥ別にＰＵＣＣＨ内のＵＣＩシンボル数より小さい長さのＯＣＣが適用されてもよい。一例として、ＵＥ１がシンボル＃１２でＲＳを送信し、シンボル＃１０／１１／１３／１４でＵＣＩを送信する場合、ＵＥ１はシンボル＃１３／１４に対して長さ２のＯＣＣを適用して同一のＵＣＩを送信することができる。この場合、ＵＥ２がシンボル＃１２でＲＳを送信して、シンボル＃１３／１４で長さ２のＯＣＣが適用されたＵＣＩを送信する場合、各ＵＥの５シンボルＰＵＣＣＨと３シンボルＰＵＣＣＨとのＣＤＭが支援される。
【０１８４】
図１２（ｂ）のようにＲＳとＵＣＩがＴＤＭされる場合、１つのＰＵＣＣＨがシンボルにおいて用いる周波数領域は同一である必要がある。ただし、図１２（ａ）のように、１つのＵＬ  ＲＥＧ内にＲＳ及びＵＣＩが含まれる場合、シンボル間の周波数ホッピングが適用（又は、許容）されて周波数ダイバーシティ利得（ｆｒｅｑｕｅｎｃｙ  ｄｉｖｅｒｓｉｔｙ  ｇａｉｎ）を得ることもできる。
【０１８５】
一例として、分散的構造（ｄｉｓｔｒｉｂｕｔｅｄ  ｓｔｒｕｃｔｕｒｅ）のＰＵＣＣＨに対しては常に周波数ホッピングが許容されないように設定される。すなわち、ＰＵＣＣＨが分散的な構造の場合、ＵＥは複数のシンボルにおいて同一の周波数リソース領域を介してＰＵＣＣＨを送信するように設定される。何故ならば、分散的な構造は周波数ダイバーシティ利得を保証するためである。換言すれば、ＵＥ及びｇＮＢは分散的な構造のＰＵＣＣＨを活用することで既に周波数ダイバーシティ利得が得られるためである。
【０１８６】
一方、局部的な構造（ｌｏｃａｌｉｚｅｄ  ｓｔｒｕｃｔｕｒｅ）は、ＰＵＣＣＨに対しては周波数ホッピングを適用するか否かが（Ｌ１シグナリング又は上位層シグナリングによって）設定されてもよい。
【０１８７】
このとき、ＵＥごとにシンボル間において用いる周波数領域リソースが異なることにより、互いに異なる電力過渡区間（ｐｏｗｅｒ  ｔｒａｎｓｉｅｎｔ  ｐｅｒｉｏｄ）を有するため、周波数ホッピングを適用するか否かはＵＥごとに設定されてもよい。
【０１８８】
また、周波数ホッピングの適用は、ＰＵＣＣＨのシンボル長によって設定されてもよい。一例として、ＰＵＣＣＨのシンボル長がＸシンボル以上である場合に限って周波数ホッピングが許容されてもよい。
【０１８９】
参考として、図１２（ａ）のような構造を４シンボルに拡張する場合、ＵＥが（局部的な構造であるとき）２シンボル単位で周波数ホッピングを適用してＰＵＣＣＨを送信すれば、電力過渡区間によって性能減少が生じ得る。ただし、これはｇＮＢのＰＵＣＣＨ受信に大きな影響を与えないこともある。
【０１９０】
図１２（ｂ）のようにＲＳとＵＣＩがＴＤＭされる場合でも、周波数ダイバーシティ利得を得るために周波数ホッピングが適用（又は、許容）されてもよい。ただし、デコーディングのためにホップごとにＲＳシンボルが存在しなければならないという制約が伴われることがある。この場合、電力過渡区間を考えてＰＵＣＣＨのシンボル長によって周波数ホッピングを行うか否かが設定されてもよい。
【０１９１】
図１４は、本発明の別の例による多重シンボルＰＵＣＣＨの構造を示す図である。
【０１９２】
図１４に示すように、本発明によれば、同一の周波数リソースを用いるＰＵＣＣＨ領域が３シンボル以上確保される場合に限って周波数ホッピングが適用（又は、設定）されてもよい。何故ならば、少なくともＲＳシンボルと隣接した両側のシンボルにＵＣＩシンボルが存在することで電力過渡区間によるＲＳ影響が最小化できるためである。
【０１９３】
本発明による多重シンボルＰＵＣＣＨに対してスロットにおいて周波数ホッピングを行うとき、当該ＰＵＣＣＨを構成するシンボル数によってホッピング単位（ｈｏｐｐｉｎｇ  ｕｎｉｔ、同一の周波数リソースで送信される連続シンボルで構成されたリソース単位）の数を設定する方法は、以下のように予め設定されてもよい。
【０１９４】
一例として、ＰＵＣＣＨを構成するシンボル数がＫである場合、各ホッピング単位はｃｅｉｌｉｎｇ｛Ｋ／２｝個のシンボル及びＫ−ｃｅｉｌｉｎｇ｛Ｋ／２｝個のシンボルで構成されてもよい。このとき、ｃｅｉｌｉｎｇ｛ａ｝とは、ａと同一であるか、ａよりも大きい整数のうち最小の整数値を意味する。
【０１９５】
別の一例として、ホッピング単位はスロットの中心を基準として定義されてもよい。具体例として、１４シンボルで構成されたスロットでシンボル＃４〜１４（１１シンボル）で構成されたＰＵＣＣＨの場合、ホッピング単位はそれぞれシンボル＃４〜７及びシンボル＃８〜１４で構成される。
【０１９６】
別の一例として、ホッピング単位を区分するシンボルインデックスは予め定義されてもよい。具体例として、１４シンボルで構成されたスロットにおいて特定のシンボルインデックスが９と定義される場合、ホッピング単位はそれぞれシンボル＃４〜８及びシンボル＃９〜１４と構成される。
【０１９７】
また、ホッピング単位の設定方法は、ＰＵＣＣＨを構成するＲＳシンボル数によって設定されてもよい。一例として、ＲＳシンボルが１つである場合には、周波数ホッピングが行われない。別の一例として、ＲＳシンボルが２つである場合には、ホッピング単位が２つで構成され、各ホッピング単位のＲＳシンボルが１つずつ含まれる。別の一例として、ＲＳシンボルが３つである場合には、ホッピング単位が２つで構成され、いずれかのホッピング単位にはＲＳシンボルが１つ含まれ、他のホッピング単位にはＲＳシンボルが２つ含まれる。また、ホッピング単位が３つで構成され、各ホッピング単位ごとにＲＳシンボルが１つずつ含まれる。
【０１９８】
さらに、特定のホッピング単位にはＲＳシンボルが含まれなくてもよい。特定のホッピング単位にＲＳシンボルが含まれない場合、特定のホッピング単位はＲＳシンボルが含まれた他のホッピング単位と同一の（又は、含まれる）ＲＢ領域で送信されなければならないという制約が伴われることがある。換言すれば、同一の周波数領域を占める連続／不連続的なシンボルのうち少なくとも１つのシンボルにはＲＳが送信されるように設定されてもよい。このとき、ＲＳシンボルは時間軸上に最も先行するシンボルにマップされるように設定されてもよい。
【０１９９】
上述のような周波数ホッピング方法は、ＰＵＳＣＨの場合にも同様に拡張適用される。このとき、更なるＤＭ−ＲＳ送信は周波数ホッピングが設定又は指示される場合にトリガされてもよい。また、更なるＤＭ−ＲＳ送信が設定又は指示される場合に限ってＵＥは周波数ホッピングが行われることを期待することができる。
【０２００】
先に送信される（Ｆｒｏｎｔ−ｌｏａｄｅｄ）ＤＭ−ＲＳの他に更なるＤＭ−ＲＳの送信は、周波数ホッピング用途の以外にも高い周波数帯域（ｈｉｇｈ  ｆｒｅｑｕｅｎｃｙ  ｂａｎｄ）特性又は高い移動性（ｈｉｇｈ  ｍｏｂｉｌｉｔｙ）などの理由によって設定されてもよい。
【０２０１】
このように、他の用途の更なるＤＭ−ＲＳの位置は、用途に応じて異なってもよい。具体的には、周波数ホッピング用として追加されたＤＭ−ＲＳの位置は、高い移動性などの理由によって追加されたＤＭ−ＲＳの位置よりも時間上（ホッピングにおける電力過渡区間を考えて）後行してもよい。一例として、高い移動性などの理由で追加されたＤＭ−ＲＳの位置はスロット中心シンボル（例えば、１４シンボルで構成されたスロットにおいて第８番目のシンボル）と設定されてもよく、周波数ホッピング用として追加されたＤＭ−ＲＳの位置は、先に送信される（ｆｒｏｎｔ−ｌｏａｄ）ＤＭ−ＲＳシンボルインデックス＋７に対応するシンボルと設定されてもよい。
【０２０２】
本発明が適用可能なＮＲシステムでは、同一のＵＥにもサービス要件（ｓｅｒｖｉｃｅ  ｒｅｑｕｉｒｅｍｅｎｔ）が多様なタイプのデータ（例えば、ｅＭＢＢ（ｅｎｈａｎｃｅｄ  Ｍｏｂｉｌｅ  ＢｒｏａｄＢａｎｄ）データ、ＵＲＬＬＣ（Ｕｌｔｒａ  Ｒｅｌｉａｂｌｅ  Ｌｏｗ  Ｌａｔｅｎｃｙ  Ｃｏｍｍｕｎｉｃａｔｉｏｎｓ）データなど）を支援することができる。このとき、互いに異なるサービス要件を満たすために、ｅＭＢＢデータ及びＵＲＬＬＣデータ間のニューマロロジー（例えば、副搬送波間隔（ｓｕｂｃａｒｒｉｅｒ  ｓｐａｃｉｎｇ））が異なってもよい。また、互いに異なるタイプのデータが同一のスロットにおいて多重化されてもよい。
【０２０３】
図１５は、本発明の一例によってＰＵＣＣＨ及びＰＵＳＣＨを送信する構成を簡単に示す図である。
【０２０４】
図１５に示すように、ＵＥは１５ｋＨｚの副搬送波間隔をベースとしてＰＵＳＣＨ（又は、ＰＵＣＣＨ）を送信する途中に３０ｋＨｚの副搬送波間隔をベースとしてＰＵＣＣＨ（又は、ＰＵＳＣＨ）を送信することができる。このとき、電力過渡区間による性能劣化の問題を解決するための方法として、ＵＥは一部の副シンボルを空けたままＰＵＣＣＨ（又は、ＰＵＳＣＨ）を送信する。ここで、この空けた副シンボル領域が電力過渡区間内に含まれるように電力マスク（ｐｏｗｅｒ  ｍａｓｋ）が設定されてもよい。
【０２０５】
また、図１５において、ＵＥはシンボル＃６内の２つの副シンボルの全てからＰＵＣＣＨを送信して、シンボル＃７（又は、その一部の領域）を電力過渡区間として活用してもよい。
【０２０６】
上述のような方法は、同一のＵＥが同一のスロットにおいてニューマロロジーが互いに異なるチャンネルを同時に送信するときのみならず、同一のスロットにおいてニューマロロジーが互いに異なる同一のチャンネルを送信するときにも同様に適用できる。
【０２０７】
上述した１シンボルＰＵＣＣＨ及び／又は多重シンボルＰＵＣＣＨを構成するＲＳ及び／又はＵＣＩを多重化する方法としては、以下のいずれか１つ以上の方法が適用できる。
【０２０８】
（１）ＦＤＭ構造
【０２０９】
図１１（ａ）のように、ＲＳとＵＣＩとの送信副搬送波（又は、副搬送波のグループ）はＦＤＭされて送信されてもよい。一例として、ＰＵＣＣＨ送信のために副搬送波間隔を増加させて１つのシンボル領域を複数の副シンボルに分ける場合、ＵＥは副シンボルのうち一部の副シンボルでＦＤＭ構造のＰＵＣＣＨを送信することもできる。
【０２１０】
（２）ＴＤＭ構造
【０２１１】
図１２（ｂ）のように、ＲＳとＵＣＩはＴＤＭされて送信されてもよい。一例として、図１１（ｂ）のように、ＰＵＣＣＨ送信のために副搬送波間隔を増加させて１つのシンボル領域を複数の副シンボルに分ける場合、ＵＥは副シンボルのうち一部の副シンボルからＲＳを送信し、その他の副シンボルからＵＣＩを送信することができる。
【０２１２】
（３）ＦＤＭ＋ＴＤＭ構造
【０２１３】
図１６は、本発明の別の例による多重シンボルＰＵＣＣＨの構造を示す図である。
【０２１４】
図１６に示すように、ＲＳとＵＣＩはＴＤＭされながらＦＤＭされて送信されてもよい。一例として、ＰＵＣＣＨ送信のために副搬送波間隔を増加させて１つのシンボル領域を複数の副シンボルに分ける場合、ＵＥは副シンボルのうち一部の副シンボルを介してＲＳとＵＣＩをＦＤＭ＋ＴＤＭされた構造で送信することができる。
【０２１５】
（４）ＣＤＭ（Ｃｏｄｅ  Ｄｉｖｉｓｉｏｎ  Ｍｕｌｔｉｐｌｅｘｉｎｇ）構造  
【０２１６】
ＲＳとＵＣＩは同一のリソース領域においてＣＤＭされて送信されてもよい。一例として、ＰＵＣＣＨ送信のために副搬送波間隔を増加して１つのシンボル領域を複数の副シンボルに分ける場合、ＵＥは副シンボルのうち一部の副シンボルを介してＣＤＭ構造のＰＵＣＣＨ（例えば、ＲＳ及びＵＣＩ）を送信することができる。
【０２１７】
（５）ＲＳ無し構造（ＲＳ−ｌｅｓｓ  ｓｔｒｕｃｔｕｒｅ）
【０２１８】
ＲＳなくＵＣＩに対応するシーケンスを予め設定し、ＵＥが当該シーケンスのみを送信するＰＵＣＣＨ構造（例えば、ＯＯＫ（ｏｎ／ｏｆｆ  ｋｅｙｉｎｇ）と類似した構造）が考えられる。このとき、ｇＮＢは当該ＰＵＣＣＨを非相関検出（ｎｏｎ−ｃｏｈｅｒｅｎｔ  ｄｅｔｅｃｔｉｏｎ）方法によって受信することができる。
【０２１９】
このとき、ＵＥはｇＮＢから上述した様々な構造（及び上述しないその他の構造）のうちいずれのＲＳ／ＵＣＩ多重化構造に基づいたＰＵＣＣＨが送信されるべきかについての指示を受信する。
【０２２０】
一例として、ＵＥはＤＣＩなどのような動的シグナリング（ｄｙｎａｍｉｃ  ｓｉｇｎａｌｉｎｇ）を活用して各スロット（又はスロットのグループ）に対していずれの構造によるＰＵＣＣＨを送信すべきかが指示される。このとき、各ＵＥごとに予め上位層シグナリングを介して動的シグナリングとして選択可能な構造のセットが設定され、上位層シグナリングによって設定されたセットのうちＵＥがＰＵＣＣＨ送信に適用される１つのＰＵＣＣＨ構造が動的シグナリングによって指示される。
【０２２１】
別の一例として、ＵＥは準静的（ｓｅｍｉ−ｓｔａｔｉｃ）にＬ１シグナリング又は上位層シグナリングによって各スロット（又は、スロットのグループ）に対していずれの構造によるＰＵＣＣＨを送信すべきかが指示される。
【０２２２】
別の一例として、ＵＥは暗示的な方法（ｉｍｐｌｉｃｉｔ  ｍａｎｎｅｒ）で各スロット（又は、スロットのグループ）に対していずれの構造によるＰＵＣＣＨを送信すべきかが指示される。このとき、暗示的な方法とは、特定のパラメータ（例えば、ＤＣＩ送信制御リソースインデックス、ＤＬデータ送信リソース（例えば、ＲＢ）インデックス、ＤＬデータ送信リソース量（例えば、シンボル又はＲＥ数）、ＤＬデータのＴＢＳ（Ｔｒａｎｓｍｉｓｓｉｏｎ  Ｂｌｏｃｋ  Ｓｉｚｅ）又はＭＣＳ（Ｍｏｄｕｌａｔｉｏｎ  ａｎｄ  Ｃｏｄｉｎｇ  Ｓｃｈｅｍｅ）、ＤＬ  ＨＡＲＱプロセスＩＤ、ＵＥのカバレッジ、ＵＣＩペイロードサイズ、ＵＣＩタイプ（例えば、ＨＡＲＱ−ＡＣＫ、ｒａｎｋ  ｉｎｄｉｃａｔｏｒ、ｃｈａｎｎｅｌ  ｑｕａｌｉｔｙ  ｉｎｄｉｃａｔｏｒ、ｓｃｈｅｄｕｌｉｎｇ  ｒｅｑｕｅｓｔ、ｂｅａｍ  ｒｅｌａｔｅｄ  ｉｎｆｏｒｍａｔｉｏｎ）によっていずれの構造によるＰＵＣＣＨを送信すべきかが暗示的に設定される。
【０２２３】
また、上述した１シンボルＰＵＣＣＨ及び／又は多重シンボルＰＵＣＣＨを構成するＲＳ及び／又はＵＣＩを多重化する構造が複数のシンボル又は（周波数軸に）複数のＲＥＧで送信される場合、ＵＣＩの送信方法はＵＣＩペイロードサイズによって異なってもよい。
【０２２４】
一例として、ＦＤＭ構造又はＣＤＭ構造によってＵＣＩが複数のシンボル（又は、周波数軸に複数のＲＥＧ又はＣＣＥ）で送信される場合、ＵＣＩペイロードサイズによってシンボルごとに（又は、周波数領域ＲＥＧ又はＣＣＥごとに）同一のＵＣＩが送信されたり異なるＵＣＩが送信されたりする。具体例として、複数のシンボルからなるＦＤＭ構造のＰＵＣＣＨが設定され、各シンボルごとに（又は、周波数領域ＲＥＧ或いはＣＣＥごとに）送信可能な最大のＵＣＩペイロードサイズがＫコーディングビット（例えば、Ｋ＝２）である場合、ＵＥは当該Ｋコーディングビット以下に構成されたＵＣＩペイロードを送信するために、各シンボルごとに（又は、周波数領域ＲＥＧ或いはＣＣＥごとに）送信するＵＣＩを同様に構成する。このとき、ＵＥ間の多重化を考慮して、時間領域ＯＣＣ（又は、周波数領域ＯＣＣ）が適用されてもよい。ここで、ＯＣＣを適用するか否かは上位層シグナリング又はＬ１シグナリングによって設定される。次いで、ＵＥはＫコーディングビットを超えるサイズのＵＣＩペイロードを送信するために、各シンボルごとに異なるＵＣＩコーディングビットを送信してもよい。
【０２２５】
別の例として、ＴＤＭ構造によってＵＣＩが複数のシンボル（又は、周波数軸に複数のＲＥＧ）で送信される場合、ＵＣＩペイロードサイズによってシンボルごとに（又は、周波数領域ＲＥＧ或いはＣＣＥごとに）同一のＵＣＩが送信されたり異なるＵＣＩが送信されたりする。具体例として、複数のシンボルで（特に、ＵＣＩが複数のシンボルで）構成されたＴＤＭ構造のＰＵＣＣＨが設定され（１シンボル内のリソース（又は、１ＲＥＧ或いはＣＣＥ内に設定された周波数リソース）を考慮するとき）、各シンボルごとに（又は、周波数領域ＲＥＧ或いはＣＣＥごとに）送信可能な最大のＵＣＩペイロードサイズがＫコーディングビットである場合、ＵＥは当該Ｋコーディングビット以下に構成されたＵＣＩペイロードを送信するために、各シンボルごとに（又は、周波数領域ＲＥＧ或いはＣＣＥごとに）送信するＵＣＩを同様に構成する。このとき、ＵＥ間の多重化を考えて時間領域ＯＣＣ（又は、周波数領域ＯＣＣ）が適用されてもよい。ここで、ＯＣＣを適用するか否かは、上位層シグナリング又はＬ１シグナリングによって設定される。次いで、ＵＥはＫコーディングビットを超えるサイズのＵＣＩペイロードを送信するために、各シンボルごとに異なるＵＣＩコーディングビットを送信してもよい。
【０２２６】
別の例として、ＦＤＭ＋ＴＤＭ構造によるＰＵＣＣＨの送信可否は、ＵＣＩペイロードサイズによって決定されてもよい。例えば、特定のＵＥに対してＦＤＭ構造によって複数のシンボルを介したＰＵＣＣＨ送信が設定される場合、特定のＵＥは所定のビットサイズ（例えば、Ｐコーディングビット）を超えたＵＣＩペイロードを送信するために予め定義された（又は、シグナルされた）規則によって設定されたシンボルのうち一部のシンボルをＲＳ無しにＵＣＩ（ｃｏｄｅｄ  ｂｉｔｓ）のみにして送信する。また、特定のＵＥに対してＴＤＭ構造によって複数のシンボルを介したＰＵＣＣＨ送信が設定される場合、特定のＵＥは所定のビットサイズ（例えば、Ｐコーディングビット）を超えたＵＣＩペイロードを送信するために、予め定義された（又は、シグナルされた）規則によってＲＳのみ送信するように設定されたシンボルのうち一部の（又は、全ての）シンボルからＲＳのみならずＵＣＩを送信してもよい。
【０２２７】
上述した１シンボルＰＵＣＣＨ及び／又は多重シンボルＰＵＣＣＨを構成するＲＳ及び／又はＵＣＩを多重化する方法のうちＴＤＭ構造のＲＳシンボルは、ＰＵＣＣＨリソース間で共有されるが、ＵＣＩシンボルはＰＵＣＣＨリソース間で設定が異なってもよい。
【０２２８】
図１７は、本発明の別の例による多重シンボルＰＵＣＣＨの構造を示す図である。
【０２２９】
一例として、図１７に示すように、ＰＵＣＣＨ  ｒｅｓｏｕｒｃｅ  ＃１はシンボル＃１１（ＲＳ  ｏｎｌｙ  ｓｙｍｂｏｌ）及びシンボル＃１２（ＵＣＩ  ｏｎｌｙ  ｓｙｍｂｏｌ）で構成され、ＰＵＣＣＨ  ｒｅｓｏｕｒｃｅ  ＃２はシンボル＃１１（ＲＳ  ｏｎｌｙ  ｓｙｍｂｏｌ）及びシンボル＃１３（ＵＣＩ  ｏｎｌｙ  ｓｙｍｂｏｌ）で構成される。このとき、互いに異なるＰＵＣＣＨリソース間のＲＳ領域が同一であるとき、各ＰＵＣＣＨリソースごとにＲＳに対して（擬似［ｑｕａｓｉ］）直交シーケンスが適用されるように設定されるか、コンム送信（例えば、ＰＵＣＣＨ  ｒｅｓｏｕｒｃｅ  ＃１はｏｄｄ  ＲＥｓ、ＰＵＣＣＨ  ｒｅｓｏｕｒｃｅ  ＃２はｅｖｅｎ  ＲＥｓ）が設定されてもよい。このように、互いに異なるＰＵＣＣＨリソース間のＲＳシンボル領域を共有することでＲＳが送信されるリソース領域を減らすことができるというメリットがある。
【０２３０】
別の例として、ＰＵＣＣＨ  ｒｅｓｏｕｒｃｅ  ＃１はシンボル＃１１（ＵＣＩ  ｏｎｌｙ  ｓｙｍｂｏｌ）及びシンボル＃１２（ＲＳ  ｏｎｌｙ  ｓｙｍｂｏｌ）で構成され、ＰＵＣＣＨ  ｒｅｓｏｕｒｃｅ  ＃２はシンボル＃１２（ＲＳ  ｏｎｌｙ  ｓｙｍｂｏｌ）及びシンボル＃１３（ＵＣＩ  ｏｎｌｙ  ｓｙｍｂｏｌ）で構成される。このとき、共有されたシンボル＃１２（ＲＳ  ｏｎｌｙ  ｓｙｍｂｏｌ）に対して、各ＰＵＣＣＨリソースごとにＲＳに対して（擬似［ｑｕａｓｉ］）直交シーケンスが適用されるように設定されるか、コンム送信（例えば、ＰＵＣＣＨ  ｒｅｓｏｕｒｃｅ  ＃１はｏｄｄ  ＲＥｓ、ＰＵＣＣＨ  ｒｅｓｏｕｒｃｅ  ＃２はｅｖｅｎ  ＲＥｓ）が設定されてもよい。
【０２３１】
このようにＲＳシンボル領域をＰＵＣＣＨリソース間で共有してＲＳとＵＣＩがＴＤＭされる構造は（副搬送波間隔を増加して）１つのシンボル領域を複数の副シンボルに分ける構造においても容易に拡張適用される。
【０２３２】
以下、上述した１シンボルＰＵＣＣＨ及び／又は多重シンボルＰＵＣＣＨを構成するＲＳ及び／又はＵＣＩを多重化する方法のうち、ＴＤＭ構造のＲＳのみを送信するシンボル（ＲＳ  ｏｎｌｙ  ｓｙｍｂｏｌ）（又は、ＵＣＩのみを送信するシンボル（ＵＣＩ  ｏｎｌｙ  ｓｙｍｂｏｌ））とＳＲＳ（ｓｏｕｎｄｉｎｇ  ｒｅｆｅｒｅｎｃｅ  ｓｉｇｎａｌ）シンボルを多重化する方法を詳述する。この方法として、ＰＵＣＣＨのためのＲＳをコンム形態で構成（例えば、ｅｖｅｎ  ｃｏｍｂ）して、ＳＲＳを他のコンム（例えば、ｏｄｄ  ｃｏｍｂ）で構成して、多重化を支援することができる。これと同様な方法として、ＵＣＩをコンム形態で構成（例えば、ｅｖｅｎ  ｃｏｍｂ）して、ＳＲＳを他のコンム（例えば、ｏｄｄ  ｃｏｍｂ）で構成して、多重化を支援することもできる。
【０２３３】
この方法を一般化すると、この方法は上述した１シンボルＰＵＣＣＨ及び／又は多重シンボルＰＵＣＣＨに対して拡張適用できる。すなわち、（ＳＲＳ送信のために）ＲＳのみで構成されたシンボル上の一部ＲＳを空けるか、ＵＣＩのみで構成されたシンボル上の一部ＵＣＩを空けるか、ＲＳとＵＣＩが全て構成されたシンボル上の（一部）ＲＳ及び／又は（一部）ＵＣＩを空けるように設定される。これによって、空けたＲＥ上にＳＲＳが送信され、ＳＲＳとの多重化利得があり、又は空けたＲＥ上に他の（ＵＥ）ＰＵＣＣＨのＲＳ（又は、ＵＣＩ）が送信されることで（時間軸の長さが同一又は異なる）ＰＵＣＣＨ間の多重化利得があり得る。
【０２３４】
一例として、ＲＳ／ＵＣＩがＦＤＭされる構造が適用される場合、２シンボルＰＵＣＣＨ（例えば、第１のＰＵＣＣＨ）に対して第１番目のシンボルのＲＳを空けるように設定されてもよく、第１番目のシンボルから送信される１シンボルＰＵＣＣＨ（例えば、第２のＰＵＣＣＨ）に対してはＲＳは２シンボルＰＵＣＣＨに対して空けたＲＳ位置から送信されるように設定されてもよい。これによって、ＰＲＳ間の多重化容量（ｍｕｌｔｉｐｌｅｘｉｎｇ  ｃａｐａｃｉｔｙ）が増大される。
【０２３５】
別の例として、ＲＳ／ＵＣＩがＦＤＭ＋ＴＤＭ構造である場合、２シンボルＰＵＣＣＨであるＰＵＣＣＨ＃Ａに対して第１番目のシンボル上にＲＳ／ＵＣＩがＦＤＭされ、第２番目のシンボル上にＵＣＩのみが送信されるように設定され、２シンボルＰＵＣＣＨであるＰＵＣＣＨ＃Ｂに対して第１番目のシンボル上にＵＣＩのみが送信され、第２番目のシンボル上にＲＳ／ＵＣＩがＦＤＭされるように設定され、ＰＵＣＣＨ＃Ａ及びＰＵＣＣＨ＃Ｂが同一のシンボルに送信される。このとき、ＰＵＣＣＨ＃Ａの第２番目のシンボル上の一部ＲＥを空けて、ＰＵＣＣＨ＃Ｂの第１番目のシンボル上の一部ＲＥを空けるように設定することで、両ＰＵＣＣＨを多重化することができる。
【０２３６】
上述した１シンボルＰＵＣＣＨ及び／又は多重シンボルＰＵＣＣＨを構成するＲＳ及び／又はＵＣＩを多重化する方法のうちＦＤＭ＋ＴＤＭ構造において、ＲＳ／ＵＣＩシンボルとＵＣＩ  ｏｎｌｙシンボルＵＣＩ送信方式の定義は異なってもよい。一例として、ＵＣＩとＲＳがＦＤＭされるシンボルにおいて、ＵＣＩは互いに異なる情報に対して（擬似）直交シーケンス（例えば、ｒｏｏｔ  ｉｎｄｅｘ又はｃｙｃｌｉｃ  ｓｈｉｆｔ値の異なるＺＣシーケンス又はシード（ｓｅｅｄ）値の異なる擬似任意シーケンスなど）が送信されるように設定され、ＵＣＩ  ｏｎｌｙ  シンボルで複数のシンボルが設定される場合、時間領域ＯＣＣが適用されるように設定されてもよい。
【０２３７】
多重シンボルＰＵＣＣＨ（特に、２シンボルＰＵＣＣＨ）においてＲＳ及び／又はＵＣＩを多重化する方法のうち、ＦＤＭ構造において、ＵＣＩは両シンボルに同一のＵＣＩが繰り返し送信されるか（第１のオプション）、エンコードされたビットが両シンボルに分散されて送信（第２のオプション）される。このとき、第１のオプションによれば、同一のＵＣＩ間の時間領域ＯＣＣが適用されないこともある。又は、第２のオプションのように異なるコーディングビットが分散されて送信されてもＲＳには時間領域ＯＣＣが適用される。
【０２３８】
具体的には、ＲＳのＵＥ間の多重化は各シンボル上（擬似）直交シーケンス（例えば、ｒｏｏｔ  ｉｎｄｅｘ又はｃｙｃｌｉｃ  ｓｈｉｆｔ値の異なるＺＣシーケンス又はシード値の異なる擬似任意シーケンスなど）を介して支援して、時間領域ＯＣＣがさらに適用（第３のオプション）されるか、（擬似）直交シーケンスと時間領域ＯＣＣの組み合わせでＵＥ間の多重化を支援（第４のオプション）することができる。このとき、ＣＳ値を活用して直交シーケンスを支援する場合、同一の多重化容量（ｍｕｌｔｉｐｌｅｘｉｎｇ  ｃａｐａｃｉｔｙ）を考慮するとき、第３のオプションに比べて第４のオプションに対するＣＳ間隔がより大きく設定されることができる。
【０２３９】
なお、第１のオプションにおいて同一のＵＣＩ間の時間領域ＯＣＣが適用されない場合、各シンボルのＵＣＩ間に他のインターリービング（ｉｎｔｅｒｌｅａｖｉｎｇ）及び／又はスクランブリング（ｓｃｒａｍｂｌｉｎｇ）が適用されてもよい。
【０２４０】
また、多重シンボルＰＵＣＣＨ（例えば、２シンボルＰＵＣＣＨ）においてＲＳ及び／又はＵＣＩを多重化する方法のうちＦＤＭ構造のように両シンボルにＲＳが構成されるか、又はＦＤＭ＋ＴＤＭ構造のように両シンボルのうち一方の（例えば、最初又は最後）シンボルにのみ構成されるかは、以下のように決定される。
【０２４１】
一例として、基本的に、一方のシンボルにのみＲＳが構成されるか、又は両方のシンボルにＲＳが構成されるかが設定される（第１のＲＳ設定方法）。
【０２４２】
別の例として、上述した第１のオプションのように同一のＵＣＩが送信される場合は（時間領域ＯＣＣ可否とは関係なく）、両方のシンボルにＲＳが構成され、第２のオプションのように他のコーディングビットが分散される場合は、一方のシンボルにのみＲＳが構成されるか、第１のＲＳ設定方法のように設定される（第２のＲＳ設定方法）。
【０２４３】
別の例として、第１のオプションにおいて時間領域ＯＣＣが適用される場合には、両方のシンボルにＲＳが構成され、第１のオプションにおいて時間領域ＯＣＣが適用されないか、又は第２のオプションのように他のコーディングビットが分散される場合には、一方のシンボルにのみＲＳが構成されるか、第１のＲＳ設定方法のように設定される（第３のＲＳ設定方法）。
【０２４４】
上述した第１乃至第３のＲＳ設定方法において、特定の一方のシンボルにＲＳが設定されない場合、当該ＲＳのＲＥにおいてはＵＣＩが送信されるか、空けるように設定されてもよい。
【０２４５】
一方、１つのＤＣＩがＴＤＭされた２つの１シンボルＰＵＣＣＨ送信をトリガする場合、（２つの１シンボルＰＵＣＣＨの周波数軸リソースが同一であるか、一部重なる場合に限って）ＲＳを特定の一方のシンボルにのみ構成するか、第１のＲＳ設定方法のように設定される。このとき、ＲＳを特定の一方のシンボルにのみ構成する場合、ＲＳシンボルは常に最初のシンボル又は最後のシンボルにのみ構成されるか、ＨＡＲＱ−ＡＣＫ（又は、ｓｃｈｅｄｕｌｉｎｇ  ｒｅｑｕｅｓｔ或いはＣＳＩ）送信が含まれたＰＵＣＣＨにのみＲＳが設定されるなどの規則が予め定義されてもよい。
【０２４６】
上述した１シンボルＰＵＣＣＨ及び／又は多重シンボルＰＵＣＣＨを構成するＲＳ及び／又はＵＣＩを多重化する方法のうちＦＤＭ又はＦＤＭ＋ＴＤＭ構造においてＲＳとＵＣＩをＦＤＭさせるシンボルにおけるＲＳ／ＵＣＩマッピング方法は、セル間の干渉によって異なってもよい。
【０２４７】
具体的には、各シンボル内のＲＳが占有するＲＥパターン（又は、コンム）を互いに異なるシンボル／スロット／ＲＥＧ／セル間にホッピングさせる方式（例えば、ｅｖｅｎ  ｃｏｍｂ  ｉｎ  ｓｙｍ１／ｓｌｏｔ１／ＲＥＧ１／ｃｅｌｌ１、ｏｄｄ  ｃｏｍｂ  ｉｎ  ｓｙｍ２／ｓｌｏｔ２／ＲＥＧ２／ｃｅｌｌ２、ＲＥパターンをｓｙｍｂｏｌ／ｓｌｏｔ／ＲＥＧ／ｃｅｌｌ  ｉｎｄｅｘの関数で決定）が考えられる。
【０２４８】
一例として、Ｎ  ＲＥごとに１つのＲＳが送信される構造の場合、セルごとにＲＳのＲＥ位置はセルインデックスの関数（一例として、ｍｏｄ（ｃｅｌｌ  ｉｎｄｅｘ，Ｎ））によって決定されてもよい。また、Ｎ  ＲＥごとにＲＳ送信において割り当てられたＲＥが（連続して）複数ある場合、ＲＳ送信の開始ＲＥ（及び／又はＲＳの送信ＲＥ）は、セルインデックスの関数（一例として、ｍｏｄ（ｃｅｌｌ  ｉｎｄｅｘ，Ｎ））によって決定されてもよい。
【０２４９】
さらに、上述した構造において、ＲＳとＵＣＩがＦＤＭされて送信されるシンボルにおけるＲＳ密度は（同一のＲＢ領域において）ＲＳが送信されるシンボル数によって異なってもよい。具体的には、（同一のＲＢ領域において）ＲＳが送信されるシンボル数が多くなるほどＲＳとＵＣＩがＦＤＭされて送信されるシンボルにおけるＲＳ密度を減らす。
【０２５０】
図１８は、本発明の一例によってＲＳとＵＣＩがＦＤＭ又はＦＤＭ＋ＴＤＭされる構造を示す図である。
【０２５１】
一例として、ＲＳ／ＵＣＩがＦＤＭされて送信される１シンボルＰＵＣＣＨ（例えば、図１８（ａ））とＲＳ／ＵＣＩがＦＤＭされて送信される２シンボルＰＵＣＣＨ（例えば、図１８（ｂ））において、各シンボルのＲＳは、１シンボルＰＵＣＣＨの場合、１２ＲＥのうちＫ（例えば、Ｋ＝６）ＲＥで構成され、２シンボルＰＵＣＣＨの場合、１２ＲＥのうちＫ／２ＲＥで構成される。
【０２５２】
これによって、複数のシンボルを介して送信されるＰＵＣＣＨのＲＳオーバーヘッドを減らすことができるというメリットがある。また、チャンネル測定（ｃｈａｎｎｅｌ  ｅｓｔｉｍａｔｉｏｎ）性能を向上させるために、上述したように、シンボル間のＲＥパターンが異なってもよい。
【０２５３】
従来のＬＴＥシステムにおいてＰＵＣＣＨ  ｆｏｒｍａｔ  １のリソースインデックスが｛ＰＲＢ  ｉｎｄｅｘ、ＯＣＣ、ｃｙｃｌｉｃ  ｓｈｉｆｔ｝などの組み合わせで決定されることから、本発明が適用可能なＮＲシステムにおいて１つのＰＵＣＣＨリソースインデックスは、少なくとも以下のような情報（又は、その一部）の組み合わせによって決定される。
【０２５４】
換言すれば、本発明によるＰＵＣＣＨリソースインデックスは、ＰＤＣＣＨ及び／又はＰＤＳＣＨとＰＵＣＣＨとの暗示的な連結（ｉｍｐｌｉｃｉｔ  ｌｉｎｋａｇｅ）が設定された場合のリソースインデックスであってもよい。また、従来のＬＴＥシステムのＡＲＩ（ＡＣＫ／ＮＡＣＫ  ｒｅｓｏｕｒｃｅ  ｉｎｄｉｃａｔｏｒ）と同様に、上位層シグナリング（又はブロードキャスト情報或いは動的Ｌ１シグナリング）によってＰＵＣＣＨリソースの候補が設定され、ＤＣＩを介して候補のうち１つの値を実際のＰＵＣＣＨリソースインデックスとして設定する場合、本発明によるＰＵＣＣＨリソースインデックスは上位層シグナリングによって設定可能なＰＵＣＣＨリソースインデックスであってもよい。
【０２５５】
−  ＲＳ／ＵＣＩのためのシーケンスのＯＣＣ及び／又はルートインデックス（ｒｏｏｔ  ｉｎｄｅｘ）及び／又は循環シフト（ｃｙｃｌｉｃ  ｓｈｉｆｔ）及び／又はスクランブリングシード（ｓｃｒａｍｂｌｉｎｇ  ｓｅｅｄ）
【０２５６】
このとき、ＲＳ／ＵＣＩのためのシーケンスの場合、｛ＺＣ（Ｚａｄｏｆｆ−Ｃｈｕ）ｏｒ  ＣＡＺＡＣ（Ｃｏｎｓｔａｎｔ  Ａｍｐｌｉｔｕｄｅ  Ｚｅｒｏ  Ａｕｔｏｃｏｒｒｅｌａｔｉｏｎ  Ｗａｖｅｆｏｒｍ）｝シーケンス、又は｛ＰＲ（Ｐｓｅｄｏ−Ｒａｎｄｏｍ）ｏｒ  Ｇｏｌｄ｝シーケンスが考えられる。｛ＺＣ  ｏｒ  ＣＡＺＡＣ｝シーケンスの場合には、ＯＣＣ／ＣＳ／ｒｏｏｔ  ｉｎｄｅｘとＰＵＣＣＨリソースが区分され、｛ＰＲ  ｏｒ  Ｇｏｌｄ｝シーケンスの場合には、ＯＣＣ／ｓｃｒａｍｂｌｉｎｇ  ｓｅｅｄとＰＵＣＣＨリソースが区分される。
【０２５７】
−  ＲＳシンボルにおいてＲＳが占有するＲＥパターン（例えば、ｃｏｍｂ）
【０２５８】
−  ＵＣＩに適用される時間／周波数領域ＯＣＣコード
【０２５９】
−  ＰＵＣＣＨを構成するシンボルインデックス及び／又はシンボル数
【０２６０】
−  上述した１シンボルＰＵＣＣＨ及び／又は多重シンボルＰＵＣＣＨを構成するＲＳ及び／又はＵＣＩを多重化するＰＵＣＣＨ構造
【０２６１】
３．３．ＬＴＥシステムのＰＵＣＣＨの変形例
【０２６２】
図１９は、ＬＴＥシステムにおけるＰＵＣＣＨ  ｆｏｒｍａｔ  ３の構造を簡単に示す図である。
【０２６３】
図１９に示すように、従来のＬＴＥシステムにおいて支援するＰＵＣＣＨ  ｆｏｒｍａｔ  ３の場合、１２副搬送波とＤＦＴ拡散（Ｄｉｓｃｒｅｔｅ  Ｆｏｕｒｉｅｒ  Ｔｒａｎｓｆｏｒｍ  ｓｐｒｅａｄｉｎｇ）されたデータシンボルが各スロットごとに５シンボルにわたって繰り返し送信され、長さ５のＯＣＣが時間軸に乗算される。これによって、最大５つのＵＥがＣＤＭされる。このとき、ＲＥごとに１つのＱＰＳＫ（Ｑｕａｄｒａｔｕｒｅ  Ｐｈａｓｅ  Ｓｈｉｆｔ  Ｋｅｙｉｎｇ）シンボルが送信されるため、１ＲＢ対（ｐａｉｒ）内に４８コーディングビットが送信される。
【０２６４】
図２０及び図２１は、ＬＴＥシステムにおけるＰＵＣＣＨ  ｆｏｒｍａｔ  ３の送信方法を簡単に示す図である。
【０２６５】
先ず、４８コーディングビットをエンコードすることにおいて、送信ビット数によって異なるチャンネルコーディング方法が定義される。
【０２６６】
具体的には、ＵＥは入力ビットストリームが１１ビット以下である場合（３２，Ａ）ｓｉｎｇｌｅ  ＲＭコーディングの後、循環繰り返し（ｃｉｒｃｕｌａｒ  ｒｅｐｅｔｉｔｉｏｎ）によって４８コーディングビットを生成する。
【０２６７】
また、ＵＥは入力ビットストリームが１１ビットを超え、２１ビット以下である場合、ｄｕａｌ  ＲＭ  ｃｏｄｅを用いて、図２０のように入力ビットストリームを２つのセグメント（ｓｅｇｍｅｎｔ）に分けて、各セグメントに対して（３２，Ａ）ＲＭ  ｃｏｄｅの後、切削（ｔｒｕｎｃａｔｉｏｎ）によって２４ビット情報を生成する。次いで、ＵＥは各セグメントの出力２４ビットに対してシンボルインターリーブした後、当該情報を各スロットで送信する。
【０２６８】
また、ＤＦＴを経ずにＯＦＤＭのみが設定されたＵＥにおいて、ＵＥは図２１に示したように、各セグメントの出力２４ビットに対してシンボルインターリーブした後、ＩＦＦＴを取り（適用して）当該情報を送信する。
【０２６９】
上述したように、ＬＴＥシステムのＰＵＣＣＨ  ｆｏｒｍａｔ  ３の場合、長さ５のＯＣＣが時間軸に乗算されるため、ＯＦＤＭを用いるＵＥとＤＦＴＳ−ＯＦＤＭを用いるＵＥとの多重化は依然として可能である。
【０２７０】
図２２及び図２３は、ＬＴＥシステムにおけるＰＵＣＣＨ  ｆｏｒｍａｔ  ５の構造を簡単に示す図である。
【０２７１】
図２２及び図２３に示すように、従来のＬＴＥシステムにおいて支援するＰＵＣＣＨ  ｆｏｒｍａｔ  ５の場合、ＰＵＣＣＨ構造は１ＲＢ単位でのみ構成され、１ＰＲＢを周波数軸上に６副搬送波単位で２つに分けて長さ２のＯＣＣが適用される。このとき、ＰＵＣＣＨ  ｆｏｒｍａｔ  ５によるＰＵＣＣＨは７２ＲＥによってＨＡＲＱ−ＡＣＫ情報を搬送することができる。また、ＰＵＣＣＨ  ｆｏｒｍａｔ  ５によるＰＵＣＣＨにおいて、最大２つのＵＥがＣＤＭされる（図２２を参照）。
【０２７２】
また、ＤＦＴを経ずにＯＦＤＭのみが設定されたＵＥの場合、ＵＥは図２３のように、ＰＵＣＣＨ  ｆｏｒｍａｔ  ５によるＰＵＣＣＨを送信する。
【０２７３】
このとき、ＤＦＴＳ−ＯＦＤＭが設定されたＵＥに対してＯＣＣはＤＦＴ前端で（例えば、ＤＦＴ適用の以前に）乗算されるが、ＯＦＤＭが設定されたＵＥに対してＯＣＣはＩＦＦＴ前端で（例えば、ＩＦＦＴ適用の以前に）乗算される。よって、ＤＦＴＳ−ＯＦＤＭを用いるＵＥとＯＦＤＭを用いるＵＥとがＣＤＭされる場合、これを受信するｇＮＢとしては直交性が維持されない問題がある。
【０２７４】
よって、ＰＵＣＣＨ  ｆｏｒｍａｔ  ５の場合、ＯＦＤＭを用いるＵＥとＤＦＴＳ−ＯＦＤＭを用いるＵＥとの多重化が支援されないことがある。ここで、ＯＦＤＭを適用するか、又はＤＦＴＳ−ＯＦＤＭを適用するかが別途設定されてもよい。この設定方法については後述する４．１．欄で詳細に説明する。
【０２７５】
本発明による多重シンボルＰＵＣＣＨ及び／又は後述するＬＴＥシステムのＰＵＣＣＨの変形例によるＰＵＣＣＨは、セル境界ＵＥ（ｃｅｌｌ  ｅｄｇｅ  ＵＥ）を考慮して常にサブフレーム又はスロットの全体のシンボルにわたって送信されるように設定されてもよい。このとき、このようなＰＵＣＣＨ送信が設定されたＵＥは、当該ＰＵＣＣＨ送信が設定されたサブフレーム又はスロットがＵＬリソースでのみ構成されたと認知できる。換言すれば、ＵＥはＰＵＣＣＨ送信が設定されたサブフレーム又はスロットにおいてＤＬ制御モニタリング（ＤＬ  ｃｏｎｔｒｏｌ  ｍｏｎｉｔｏｒｉｎｇ）を行わなくてもよい。
【０２７６】
一方、当該サブフレーム又はスロットの間にｇＮＢは緊急データ（ｕｒｇｅｎｔ  ｄａｔａ）をスケジュールするためにＤＬ制御信号などを送信することができる。この場合、ｇＮＢはＤＬ制御信号を送信する時間及び／又は送信から受信への変更（Ｔｘ−ｔｏ−Ｒｘ  ｓｗｉｔｃｈｉｎｇ）のための時間の間にＰＵＣＣＨが受信できないことがある。換言すれば、ｇＮＢは上述した時間区間の間にＰＵＣＣＨをパンクチャーした後で受信することができる。
【０２７７】
このような事項を考慮して、当該ＰＵＣＣＨ送信のためのＲＳは、ＤＬ制御信号及び／又は送信から受信への変更（Ｔｘ−ｔｏ−Ｒｘ  ｓｗｉｔｃｈｉｎｇ）のための時間領域を考慮して、その後に送信されるように設定されてもよい。一例として、ＤＬ信号及び／又は送信から受信への変更のための時間領域が２シンボルである場合、当該ＰＵＣＣＨのＲＳは少なくとも第３番目のシンボル（又は、その後）に送信されるように設定されてもよい。
【０２７８】
以下、ＵＬ制御領域が１スロット又はサブフレームよりも小さく設定された場合、ＵＥがＬＴＥシステムのＰＵＣＣＨ構造を変形（例えば、短い構造に変形されたフォーマット（ｓｈｏｒｔｅｎｅｄ  ｆｏｒｍａｔ））として送信する方法について説明する。
【０２７９】
３．３．１．Ｓｈｏｒｔｅｎｅｄ  ＰＵＣＣＨ  ｆｏｒｍａｔ  １
【０２８０】
図２４は、本発明による７シンボルＰＵＣＣＨの送信方法を簡単に示す図である。
【０２８１】
図２４に示すように、本発明による７シンボルＰＵＣＣＨの場合、ＬＴＥシステムにおけるＰＵＣＣＨ  ｆｏｒｍａｔ  １／１ａ／１ｂと同様に、７シンボルのうち３つのシンボルにわたってＤＭ−ＲＳ（ｄｅｍｏｄｕｌａｔｉｏｎ  ｒｅｆｅｒｅｎｃｅ  ｓｉｇｎａｌ）が送信され、残りの４つのシンボルにわたってＨＡＲＱ−ＡＣＫが送信される。ＨＡＲＱ−ＡＣＫが送信されるシンボルは周波数軸上に長さ１２のＣＡＺＡＣシーケンスと変調されたＨＡＲＱ−ＡＣＫシンボルが乗算されてＩＦＦＴ変換された後に送信される。このとき、ＨＡＲＱ−ＡＣＫが１ビットである場合にはＢＰＳＫ（Ｂｉｎａｒｙ  Ｐｈａｓｅ  Ｓｈｉｆｔ  Ｋｅｙｉｎｇ）変調が適用され、２ビットである場合にはＱＰＳＫ変調が適用される。
【０２８２】
また、より多いＵＥが同一のリソースでＣＤＭされるように、ＨＡＲＱ−ＡＣＫ情報は４シンボルにわたって同様に構成され、長さ４のＯＣＣが時間軸上において乗算されて送信される。長さ１２のＣＡＺＡＣシーケンスのＣＳ（ｃｙｃｌｉｃ  ｓｈｉｆｔ）の１２個を最大に活用して、ＤＭ−ＲＳの長さ３のＯＣＣを考えて、最大に３６のＵＥは上述のようなＰＵＣＣＨ構造を用いてＨＡＲＱ−ＡＣＫ送信を同時に試みることができる。
【０２８３】
このような技術的特徴に基づいて、本発明に適用可能なＰＵＣＣＨが６シンボルにわたって送信される場合、ＰＵＣＣＨは以下の２つの方法のうちいずれか１つによって送信される。
【０２８４】
図２５は、本発明による６シンボルＰＵＣＣＨの送信方法を簡単に示す図である。
【０２８５】
図２５に示すように、６シンボルＰＵＣＣＨの場合、ＨＡＲＣＫ−ＡＣＫシンボル及びＤＭ−ＲＳシンボルはそれぞれ３シンボルで構成され、ＨＡＲＱ−ＡＣＫシンボル及びＤＭ−ＲＳシンボルのそれぞれに対して長さ３のＯＣＣが適用され送信される。
【０２８６】
図２６は、本発明による５シンボルＰＵＣＣＨの送信方法を簡単に示す図である。
【０２８７】
図２６に示すように、本発明による５シンボルＰＵＣＣＨは、以下の３つの方法のうちいずれか１つによって送信される。
【０２８８】
図２６に示すように、５シンボルＰＵＣＣＨの場合、ＨＡＲＣＫ−ＡＣＫシンボル及びＤＭ−ＲＳシンボルはそれぞれ２シンボル及び３シンボル（図２６のＰＦ１−ｓｙｍｂ５Ａ又はＰＦ１−ｓｙｍｂ５Ｂの場合）又は３シンボル及び２シンボル（図２６のＰＦ１−ｓｙｍｂ５Ｃの場合）で構成される。このとき、ＰＦ１−ｓｙｍｂ５Ａ又はＰＦ１−ｓｙｍｂ５Ｂの場合、ＨＡＲＱ−ＡＣＫシンボルに対しては長さ２のＯＣＣが適用され、ＤＭ−ＲＳシンボルに対しては長さ３のＯＣＣが適用される。また、ＰＦ１−ｓｙｍｂ５Ｃの場合、ＨＡＲＱ−ＡＣＫシンボルに対しては長さ３のＯＣＣが適用され、ＤＭ−ＲＳシンボルに対しては長さ２のＯＣＣが適用される。
【０２８９】
上述したように、１つのスロット又はサブフレームが７シンボルで構成され、７シンボルのうち５又は６シンボル領域のみがＵＬ制御領域に設定される場合、図２５及び図２６に示された方法によってＰＵＣＣＨが送信される。
【０２９０】
なお、１つのスロット又はサブフレームが１４シンボルで構成されてもよい。このとき、１４シンボルのうち一部のシンボル領域のみがＵＬ制御領域で構成される場合、図２４乃至図２６に示される方法が組み合わされて本発明に適用可能なＰＵＣＣＨ構造が構成されてもよい。
【０２９１】
一例として、ＵＬ制御領域が１３シンボルである場合、本発明に適用可能なＰＵＣＣＨ構造はＰＦ１−ｓｙｍｂ７＋ＰＦ１−ｓｙｍｂ６Ａ又はＰＦ１−ｓｙｍｂ６Ｂ＋ＰＦ１−ｓｙｍｂ７で構成される。
【０２９２】
別の一例として、ＵＬ制御領域が１２シンボルである場合、本発明に適用可能なＰＵＣＣＨ構造はＰＦ１−ｓｙｍｂ７＋ＰＦ１−ｓｙｍｂ５（Ａ  ｏｒ  Ｂ  ｏｒ  Ｃ）又はＰＦ１−ｓｙｍｂ５（Ａ  ｏｒ  Ｂ  ｏｒ  Ｃ）＋ＰＦ１−ｓｙｍｂ７又はＰＦ１−ｓｙｍｂ６Ｂ＋ＰＦ１−ｓｙｍｂ６Ａで構成される。
【０２９３】
別の一例として、ＵＬ制御領域が１１シンボルである場合、本発明に適用可能なＰＵＣＣＨ構造はＰＦ１−ｓｙｍｂ６Ｂ＋ＰＦ１−ｓｙｍｂ５（Ａ  ｏｒ  Ｂ  ｏｒ  Ｃ）又はＰＦ１−ｓｙｍｂ（Ａ  ｏｒ  Ｂ  ｏｒ  Ｃ）＋ＰＦ１−ｓｙｍｂ６Ａで構成される。
【０２９４】
別の一例として、ＵＬ制御領域が１０シンボルである場合、本発明に適用可能なＰＵＣＣＨ構造はＰＦ１−ｓｙｍｂ５（Ａ  ｏｒ  Ｂ  ｏｒ  Ｃ）＋ＰＦ１−ｓｙｍｂ５（Ａ  ｏｒ  Ｂ  ｏｒ  Ｃ）で構成される。
【０２９５】
３．３．２．Ｓｈｏｒｔｅｎｅｄ  ＰＵＣＣＨ  ｆｏｒｍａｔ  ３
【０２９６】
図２７は、本発明による７シンボルＰＵＣＣＨの送信方法を簡単に示す図である。
【０２９７】
図２７に示すように、本発明による７シンボルＰＵＣＣＨの場合、ＬＴＥシステムにおけるＰＵＣＣＨ  ｆｏｒｍａｔ  ３と同様に、７シンボルのうち２つのシンボルにわたってＤＭ−ＲＳが送信され、残りの５つのシンボルにわたってＨＡＲＱ−ＡＣＫが送信される。このとき、ＨＡＲＱ−ＡＣＫが送信されるシンボルには長さ５のＯＣＣが適用される。
【０２９８】
図２８は、本発明による６シンボルＰＵＣＣＨの送信方法を簡単に示す図である。
【０２９９】
図２８に示すように、本発明による６シンボルＰＵＣＣＨは、以下の２つの方法のうちいずれか一方によって送信される。このとき、ＨＡＲＱ−ＡＣＫシンボルに対しては長さ４のＯＣＣが適用される。ここで、ＤＭ−ＲＳのためのＣＳ値としては｛０，３，６，９｝又は｛０，３，６，９｝に同一のオフセット値が適用された値（例えば、オフセット値として１が適用される場合、｛１，４，７，１０｝）が適用されるように設定される。
【０３００】
図２９は、本発明による５シンボルＰＵＣＣＨの送信方法を簡単に示す図である。
【０３０１】
図２９に示すように、本発明による５シンボルＰＵＣＣＨは、以下の３つの方法のうちいずれか１つによって送信される。このとき、ＰＦ３−ｓｙｍｂ５Ａ又はＰＦ３−ｓｙｍｂ５Ｂの場合、ＨＡＲＱ−ＡＣＫシンボルに対しては長さ３のＯＣＣが適用される。ここで、ＤＭ−ＲＳのためのＣＳ値としては｛０，４，８｝又は｛０，４，８｝に同一のオフセット値が適用された値（例えば、オフセット値として１が適用される場合、｛１，５，９｝）が適用されるように設定される。一方、ＰＦ３−ｓｙｍｂ５Ｃの場合、ＨＡＲＱ−ＡＣＫシンボルに対しては長さ４のＯＣＣが適用される。ここで、ＤＭ−ＲＳのためのＣＳ値としては｛０，３，６，９｝又は｛０，３，６，９｝に同一のオフセット値が適用された値（例えば、オフセット値として１が適用される場合、｛１，４，７，１０｝）が適用されるように設定される。
【０３０２】
上述したように、１つのスロット又はサブフレームが７シンボルで構成され、７シンボルのうち５又は６シンボル領域のみがＵＬ制御領域として設定される場合、図２８及び図２９に示す方法によってＰＵＣＣＨが送信される。
【０３０３】
一方、１つのスロット又はサブフレームが１４シンボルで構成されてもよい。このとき、１４シンボルのうち一部のシンボル領域のみがＵＬ制御領域として構成される場合、図２７乃至図２９に示す方法が組み合わされて本発明に適用可能なＰＵＣＣＨ構造が構成される。
【０３０４】
一例として、ＵＬ制御領域が１３シンボルである場合、本発明に適用可能なＰＵＣＣＨ構造はＰＦ３−ｓｙｍｂ７＋ＰＦ３−ｓｙｍｂ６Ａ又はＰＦ３−ｓｙｍｂ６Ｂ＋ＰＦ３−ｓｙｍｂ７で構成される。
【０３０５】
別の一例として、ＵＬ制御領域が１２シンボルである場合、本発明に適用可能なＰＵＣＣＨ構造はＰＦ３−ｓｙｍｂ７＋ＰＦ３−ｓｙｍｂ５（Ａ  ｏｒ  Ｂ  ｏｒ  Ｃ）又はＰＦ３−ｓｙｍｂ５（Ａ  ｏｒ  Ｂ  ｏｒ  Ｃ）＋ＰＦ３−ｓｙｍｂ７又はＰＦ３−ｓｙｍｂ６Ｂ＋ＰＦ３−ｓｙｍｂ６Ａで構成される。
【０３０６】
別の一例として、ＵＬ制御領域が１１シンボルである場合、本発明に適用可能なＰＵＣＣＨ構造はＰＦ３−ｓｙｍｂ６Ｂ＋ＰＦ３−ｓｙｍｂ５（Ａ  ｏｒ  Ｂ  ｏｒ  Ｃ）又はＰＦ３−ｓｙｍｂ５（Ａ  ｏｒ  Ｂ  ｏｒ  Ｃ）＋ＰＦ３−ｓｙｍｂ６Ａで構成される。
【０３０７】
別の一例として、ＵＬ制御領域が１０シンボルである場合、本発明に適用可能なＰＵＣＣＨ構造はＰＦ３−ｓｙｍｂ５（Ａ  ｏｒ  Ｂ  ｏｒ  Ｃ）＋ＰＦ３−ｓｙｍｂ５（Ａ  ｏｒ  Ｂ  ｏｒ  Ｃ）で構成される。
【０３０８】
３．３．３．Ｓｈｏｒｔｅｎｅｄ  ＰＵＣＣＨ  ｆｏｒｍａｔ  ４／５
【０３０９】
図３０は、本発明による７シンボルＰＵＣＣＨの送信方法を簡単に示す図である。
【０３１０】
図３０に示すように、本発明による７シンボルＰＵＣＣＨの場合、ＬＴＥシステムにおけるＰＵＣＣＨ  ｆｏｒｍａｔ  ４／５と同様に、７シンボルのうち６つのシンボルにわたってコーディングビットに変換されたデータが送信され、残りの中央の シンボルからＲＳが送信される。
【０３１１】
図３１は、本発明による６シンボルＰＵＣＣＨの送信方法を簡単に示す図である。
【０３１２】
図３１に示すように、本発明による６シンボルＰＵＣＣＨは、以下の２つの方法のうちいずれか一つによって送信される。このとき、ＲＳシンボルの位置は、図３１のＰＦ４／５−ｓｙｍｂ６Ａ又はＰＦ４／５−ｓｙｍｂ６Ｂのように、時間領域において第４番目又は第３番目のシンボルに位置する。
【０３１３】
図３２は、本発明による５シンボルＰＵＣＣＨの送信方法を簡単に示す図である。
【０３１４】
図３２に示すように、本発明による５シンボルＰＵＣＣＨは、以下の３つの方法のうちいずれか１つによって送信される。このとき、ＲＳシンボルの位置は、図３１のＰＦ４／５−ｓｙｍｂ５Ａ又はＰＦ４／５−ｓｙｍｂ５Ｂ又はＰＦ４／５−ｓｙｍｂ５Ｃのように、時間領域において第４番目、第２番目又は第３番目のシンボルに位置する。
【０３１５】
上述したように、１つのスロット又はサブフレームが７シンボルで構成され、７シンボルのうち５又は６シンボル領域のみがＵＬ制御領域として設定される場合、図３１及び図３２に示す方法によってＰＵＣＣＨが送信される。
【０３１６】
一方、１つのスロット又はサブフレームが１４シンボルで構成されてもよい。このとき、１４シンボルのうち一部のシンボル領域のみがＵＬ制御領域として構成される場合、図３０乃至図３２に示す方法が組み合わされて本発明に適用可能なＰＵＣＣＨ構造が構成される。
【０３１７】
一例として、ＵＬ制御領域が１３シンボルである場合、本発明に適用可能なＰＵＣＣＨ構造は、ＰＦ４／５−ｓｙｍｂ７＋ＰＦ４／５−ｓｙｍｂ６Ａ又はＰＦ４／５−ｓｙｍｂ６Ｂ＋ＰＦ４／５−ｓｙｍｂ７で構成される。
【０３１８】
別の一例として、ＵＬ制御領域が１２シンボルである場合、本発明に適用可能なＰＵＣＣＨ構造はＰＦ４／５−ｓｙｍｂ７＋ＰＦ４／５−ｓｙｍｂ５（Ａ  ｏｒ  Ｂ  ｏｒ  Ｃ）又はＰＦ４／５−ｓｙｍｂ５（Ａ  ｏｒ  Ｂ  ｏｒ  Ｃ）＋ＰＦ４／５−ｓｙｍｂ７又はＰＦ４／５−ｓｙｍｂ６Ｂ＋ＰＦ４／５−ｓｙｍｂ６Ａで構成される。
【０３１９】
別の一例として、ＵＬ制御領域が１１シンボルである場合、本発明に適用可能なＰＵＣＣＨ構造はＰＦ４／５−ｓｙｍｂ６Ｂ＋ＰＦ４／５−ｓｙｍｂ５（Ａ  ｏｒ  Ｂ  ｏｒ  Ｃ）又はＰＦ４／５−ｓｙｍｂ５（Ａ  ｏｒ  Ｂ  ｏｒ  Ｃ）＋ＰＦ４／５−ｓｙｍｂ６Ａで構成される。
【０３２０】
別の一例として、ＵＬ制御領域が１０シンボルである場合、本発明に適用可能なＰＵＣＣＨ構造はＰＦ４／５−ｓｙｍｂ５（Ａ  ｏｒ  Ｂ  ｏｒ  Ｃ）＋ＰＦ４／５−ｓｙｍｂ５（Ａ  ｏｒ  Ｂ  ｏｒ  Ｃ）で構成される。
【０３２１】
以下、上述したＰＵＣＣＨ構造の決定又は設定において、さらに適用可能な構成について詳細に説明する。
【０３２２】
４．追加可能な特徴
【０３２３】
４．１．ＯＦＤＭ又はＤＦＴＳ−ＯＦＤＭの設定方法
【０３２４】
従来のＬＴＥシステムでは、ＵＥのＰＡＰＲを減らすために、ＵＥがＤＦＴＳ−ＯＦＤＭ変換（変調）を適用してＵＬ送信を行うように設定された。しかしながら、本発明が適用可能なＮＲシステムでは、ＵＥのＵＬ送信のためにＤＦＴＳ−ＯＦＤＭのみならず、ＯＦＤＭも支援できる。よって、ＵＥはＰＵＣＣＨ送信を行うために、いずれの多重化方法を適用するかを設定する必要がある。
【０３２５】
各ＵＥごとにいずれの多重化方法（すなわち、ＯＦＤＭ又はＤＴＦＳ−ＯＦＤＭ）を用いてＰＵＣＣＨを送信するかは、要素搬送波（コンポーネントキャリア、ｃｏｍｐｏｎｅｎｔ  ｃａｒｒｉｅｒ，ＣＣ）ごとに及び／又は実際に送信されるＰＵＣＣＨリソースごとに及び／又は送信されるＰＵＣＣＨフォーマットごとに予め設定されるか、ＲＲＣシグナリングによって設定されてもよい。  
【０３２６】
また、各ＵＥごとにいずれの多重化方法（すなわち、ＯＦＤＭ又はＤＴＦＳ−ＯＦＤＭ）を用いてＰＵＣＣＨを送信するかは、Ｌ１シグナリングによって動的に設定されてもよい。一例として、ＲＳとＵＣＩがＦＤＭされるシンボル又はＦＤＭ  ＰＵＣＣＨ構造で送信されるＰＵＣＣＨに対して、ＵＥはＵＣＩ送信時にＤＦＴ拡散を行わないか、（ＵＣＩ及びＲＳ送信時）ＰＲシーケンスを送信するように設定される。  
【０３２７】
また、ＵＣＩのみが送信されるシンボル又はＲＳとＵＣＩがＴＤＭされるＰＵＣＣＨ構造で送信されるＰＵＣＣＨに対して、ＵＥはＤＴＦ拡散が行われた後、ＵＣＩを送信するか、（ＵＣＩ及びＲＳ送信時）ＺＣシーケンスを送信するように設定されてもよい。
【０３２８】
さらに、ｇＮＢは、以下のような情報をＵＥにシグナルしてもよい。このとき、以下の情報はＵＥがいずれの多重化方法を用いるかに対する設定と暗示的な連結関係（ｉｍｐｌｉｃｉｔ  ｌｉｎｋａｇｅ）が設定されてもよい。
【０３２９】
−  ＰＵＣＣＨ  ＤＭ−ＲＳはザドフチューシーケンスであるか、擬似任意（ＰＲ）（ｏｒ  ｃｏｍｐｕｔｅｒ  ｇｅｎｅｒａｔｅｄ）シーケンスであるか
【０３３０】
−  ＣＳ（ｃｙｃｌｉｃ  ｓｈｉｆｔ）ａｎｄ／ｏｒ  ＯＣＣ（ｏｒｔｈｏｇｏｎａｌ  ｃｏｖｅｒ  ｃｏｄｅ）情報又はｓｃｒａｍｂｌｉｎｇ  ｓｅｅｄ情報
【０３３１】
−  ＰＴＲＳ（ｐｈａｓｅ  ｔｒａｃｋｉｎｇ  ＲＳ）送信可否、このとき、ＰＴＲＳは高い移動性又は基地局-ＵＥ間の周波数／位相／時間トラッキング又はオシレータの位相雑音（ｐｈａｓｅ  ｎｏｉｓｅ）などを考慮してチャンネル測定を助けるために送信される。
【０３３２】
−  ＰＴＲＳが送信されるリソースの位置／密度及び／又は当該信号のシーケンス情報
【０３３３】
４．１．１．第１の例
【０３３４】
ｇＮＢはＰＵＣＣＨ  ＤＭ−ＲＳ送信に対する設定を指示する上位層シグナリング又はＬ１シグナリング上の特定の第１のフィールドを介してＰＵＣＣＨ  ＤＭ−ＲＳがＺＣシーケンスであるか、又はＰＲシーケンスであるかをＵＥに指示することができる。
【０３３５】
さらに、ｇＮＢは特定のシグナリング（例えば、第２のフィールドなど）を介してＣＳ（ｃｙｃｌｉｃ  ｓｈｉｆｔ）及び／又はＯＣＣ（ｏｒｔｈｏｇｏｎａｌ  ｃｏｖｅｒ  ｃｏｄｅ）情報又はスクランブリングシード（ｓｃｒａｍｂｌｉｎｇ  ｓｅｅｄ）情報をＵＥにシグナルすることができる。このとき、ＰＵＣＣＨ  ＤＭ−ＲＳがＺＣシーケンスであるとシグナルされた場合、ＵＥはｇＮＢの特定のシグナリングを介した情報をＣＳ及び／又はＯＣＣ情報として解釈できる。逆に、ＰＵＣＣＨ  ＤＭ−ＲＳがＰＲシーケンスであるとシグナルされた場合、ＵＥはｇＮＢの特定のシグナリングを介した情報をスクランブリングシート情報として解釈できる。
【０３３６】
まとめると、上述した第１のフィールドを介してＺＣシーケンス又はＰＲシーケンスが指示されたか否かによって、ＵＥは第２のフィールドを介して指示される情報を異ならせて解釈することができる。
【０３３７】
４．１．２．第２の例
【０３３８】
ＰＵＣＣＨ  ＤＭ−ＲＳがＺＣシーケンスであるか、又はＰＲシーケンスであるかは、別にシグナルされず、ＰＵＣＣＨ送信のための多重化方法によってＤＭ−ＲＳに適用されるシーケンス種類が予め設定されてもよい。
【０３３９】
例えば、ＵＥがＰＵＣＣＨをＯＦＤＭに基づいて送信する場合、ＵＥはＰＲシーケンスを用いてＤＭ−ＲＳを送信することができる。また、ＵＥがＰＵＣＣＨをＤＦＴＳ−ＯＦＤＭに基づいて送信する場合、ＵＥはＺＣシーケンスを用いてＤＭ−ＲＳを送信することができる。
【０３４０】
このとき、ｇＮＢがＰＵＣＣＨ  ＤＭ−ＲＳ送信に対する設定が指示される上位層シグナリング又はＬ１シグナリング上の特定のフィールドを介してＣＳ及び／又はＯＣＣ情報又はスクランブリングシード情報をシグナルする場合、ＤＦＴＳ−ＯＦＤＭベースのＰＵＣＣＨ送信が設定されたＵＥは当該情報をＺＣシーケンスのＣＳ及び／又はＯＣＣ情報と解釈することができ、ＯＦＤＭベースのＰＵＣＣＨ送信が設定されたＵＥは当該情報をＰＲシーケンスのスクランブリングシード情報として解釈できる。
【０３４１】
４．１．３．第３の例
【０３４２】
ＰＴＲＳを送信するか否かはＰＵＣＣＨ送信のための多重化方法によって予め設定されてもよい。例えば、ＰＵＣＣＨがＯＦＤＭに基づいて送信される場合、ＰＴＲＳ送信がさらに設定される。このとき、ＰＵＣＣＨ  ＲＳ送信に対する設定が指示される上位層シグナリング又はＬ１シグナリング上の特定のフィールドによって｛ＣＳ及び／又はＯＣＣ情報｝又はスクランブリングシード情報又は｛ＰＴＲＳが送信されるリソースの位置／密度及び／又はＰＴＲＳシーケンス情報｝がシグナルされてもよい。この場合、ＤＦＴＳ−ＯＦＤＭベースのＰＵＣＣＨ送信が設定されたＵＥは、当該情報をＺＣシーケンスのＣＳ及び／又はＯＣＣ情報として解釈することができ、ＯＦＤＭベースのＰＵＣＣＨ送信が設定されたＵＥは当該情報をスクランブリングシード情報又はＰＴＲＳが送信されるリソースの位置／密度及び／又はＰＴＲＳシーケンス情報として解釈できる。
【０３４３】
４．２．ＵＬ  ＲＥＧ、ＵＬ  ＣＣＥ、ＰＵＣＣＨの構成方法
【０３４４】
上述では、簡略化してＵＬ  ＲＥＧ（Ｒｅｓｏｕｒｃｅ  Ｅｌｅｍｅｎｔ  Ｇｒｏｕｐ）、ＵＬ  ＣＣＥ（Ｃｏｎｔｒｏｌ  Ｃｈａｎｎｅｌ  Ｅｌｅｍｅｎｔ）及びＰＵＣＣＨの構成方法について説明した。ここでは、ＵＬ  ＲＥＧ、ＵＬ  ＣＣＥ、ＰＵＣＣＨの構成方法についてより詳細に説明して、この構成方法を上述した１シンボルＰＵＣＣＨ、多重シンボルＰＵＣＣＨ、ＬＴＥシステムのＰＵＣＣＨの変形例のそれぞれにどのように適用するかについても詳細に説明する。
【０３４５】
４．２．１．ＵＬ  ＲＥＧ
【０３４６】
１つのＵＬ  ＲＥＧは同一のシンボルにおける連続するＫ個の副搬送波（又は、ｒｅｓｏｕｒｃｅ  ｅｌｅｍｅｎｔ，ＲＥ）と定義されてもよい。一例として、Ｋ値は１２又は１２の整数倍である。このとき、１つのＵＬ  ＲＥＧはＲＳのみで構成されるか、ＵＣＩのみで構成されるか、又はＲＳとＵＣＩの組み合わせで構成される。
【０３４７】
ＵＣＩペイロードサイズによってＵＬ  ＲＥＧを構成するＲＥ数が異なるように設定されてもよい。具体的には、ＵＣＩペイロードが大きいほど１つのＵＬ  ＲＥＧは多いＲＥから構成される。また、ＵＣＩペイロードが大きいほど多いＲＥから構成されたＰＵＣＣＨリソースが設定される。一例として、ＵＣＩペイロードがＸビット以下である場合、１２ＲＥを１つのＵＬ  ＲＥＧと定義して、Ｘビット超の場合は、４８ＲＥを１つのＲＥＧと定義することができる。
【０３４８】
また、１つのＵＬ  ＲＥＧは１つのシンボルではなく複数のシンボルにわたって定義されてもよい。この場合、上述したように、ＵＬ  ＲＥＧを構成するＲＥ数もＵＣＩペイロードサイズと相関関係があり得る。一例として、ＵＣＩペイロードサイズがＹビット以下である場合、１シンボルにわたってＵＬ  ＲＥＧが設定され、Ｙビット超である場合、２シンボルにわたってＵＬ  ＲＥＧが設定される。
【０３４９】
このとき、１つのＵＬ  ＲＥＧを構成する全体のＲＥ数は同様に維持されるように設定されてもよい。一例として、１つのＵＬ  ＲＥＧが４８ＲＥで構成される場合、２つのシンボルにわたって送信されるＵＬ  ＲＥＧは各シンボル当たり連続した２４ＲＥで構成され、４つのシンボルにわたって送信されるＵＬ  ＲＥＧは各シンボル当たり連続した１２ＲＥで構成される。
【０３５０】
また、ＵＬ  ＲＥＧを構成するＲＥ数によって異なる規則が設定されてもよい。一例として、１つのＵＬ  ＲＥＧを構成するＲＥ数がＱ個（例えば、Ｑ＝１２）以下である場合、ＵＬ  ＲＥＧが複数のシンボルにわたって送信されても、ＵＬ  ＲＥＧの各々のシンボルのＲＥ数はＱ個に維持されるように構成される。
【０３５１】
Ｎシンボルから構成されたＰＵＣＣＨリソースに対してＵＬ  ＲＥＧ及びＵＬ  ＣＣＥを構成する方法において、１つのＵＬ  ＲＥＧを１つのシンボルで構成して、４．２．２．において後述するように、ｔ−ＣＣＥを構成してＰＵＣＣＨ構成をＮシンボルに拡張することができる。
【０３５２】
また、１つのＵＬ  ＲＥＧをＮシンボルで構成して、４．２．２．において後述するように、ｆ−ＣＣＥを構成して、局部的な構造又は分散的な構造にマップしてＰＵＣＣＨリソースを構成することができる。
【０３５３】
また、１つのＵＬ  ＲＥＧをＮよりも小さい複数のシンボルで構成して、４．２．２．において後述するように、２Ｄ−ＣＣＥを構成する場合、ＰＵＣＣＨ構成は時間軸にはＮシンボルに拡張され、周波数軸には局部的な構造又は分散的な構造にマップできる。  
【０３５４】
一例として、４シンボルで構成されたＰＵＣＣＨリソースに対して、１つのＵＬ  ＲＥＧが２シンボルで構成される場合、ＰＵＣＣＨ構成は当該ＵＬ  ＲＥＧの２つを時間軸に拡張して、周波数軸には局部的な構造又は分散的な構造に拡張した２Ｄ−ＣＣＥ形態で構成される。
【０３５５】
４．２．２．ＵＬ  ＣＣＥ
【０３５６】
１つのＵＬ  ＣＣＥはＬ個のＵＬ  ＲＥＧで構成されてもよい。一例として、Ｌ値は６、７、８、１２、１４、１６のうちいずれか１つの値に設定されてもよい。
【０３５７】
４．２．２．１．第１の例
【０３５８】
１つのＵＬ  ＣＣＥは同一のシンボル内の（異なる周波数リソース上の）Ｌ個のＵＬ  ＲＥＧで構成されてもよい。以下、説明の便宜のために、上述のようなＵＬ  ＣＣＥをｆ−ＣＣＥと定義する。このとき、Ｌ個のＵＬ  ＲＥＧは（システム帯域又は特定のサブバンド内において）局部的な構造（ｌｏｃａｌｉｚｅｄ  ｓｔｒｕｃｔｕｒｅ）又は分散的な構造（ｄｉｓｔｒｉｂｕｔｅｄ  ｓｔｒｕｃｔｕｒｅ）にマップされる。上述した第１の例によるＰＵＣＣＨ構造の一例としては、上述した１シンボルＰＵＣＣＨが該当する。
【０３５９】
４．２．２．２．第２の例
【０３６０】
１つのＵＬ  ＣＣＥは互いに異なるシンボル内の（同一の周波数リソース上の）Ｌ個のＵＬ  ＲＥＧで構成されてもよい。以下、説明の便宜のために、上述のようなＵＬ  ＣＣＥをｔ−ＣＣＥと定義する。このとき、Ｌ個のＵＬ  ＲＥＧは（システム帯域又は特定のサブバンド内において）固定されるか、周波数ホッピングが適用される。第２の例によるＰＵＣＣＨ構造の一例としては、上述したＬＴＥシステムのＰＵＣＣＨの変形例又は多重シンボルＰＵＣＣＨのうちサブフレーム又はスロットの全体にわたって送信されるＰＵＣＣＨが該当する。
【０３６１】
４．２．２．３．第３の例
【０３６２】
１つのＵＬ  ＣＣＥはｍ個のシンボルとｎ個のＵＬ  ＲＥＧ周波数リソース領域の組み合わせに属するＬ個のＵＬ  ＲＥＧで構成されてもよい。このとき、ｍ、ｎは互いに同一であるか異なってもよく、１よりも大きい整数値であってもよい。以下、説明の便宜のために、上述のようなＵＬ  ＣＣＥを２Ｄ−ＣＣＥと定義する。これによって、Ｌ＝ｍ＊ｎと設定される。（例えば、｛Ｌ＝６，ｍ＝２，ｎ＝３｝、｛Ｌ＝６，ｍ＝３，ｎ＝２｝、｛Ｌ＝８，ｍ＝２，ｎ＝４｝、｛Ｌ＝８，ｍ＝４，ｎ＝２｝、｛Ｌ＝１２，ｍ＝２，ｎ＝６｝、｛Ｌ＝１２，ｍ＝３，ｎ＝４｝、｛Ｌ＝１２，ｍ＝４，ｎ＝３｝、｛Ｌ＝１２，ｍ＝６，ｎ＝２｝、｛Ｌ＝１６，ｍ＝２，ｎ＝８｝、｛Ｌ＝１６，ｍ＝４，ｎ＝４｝、｛Ｌ＝１６，ｍ＝８，ｎ＝２｝）、このとき、Ｌ個のＵＬ  ＲＥＧは周波数軸上に（システム帯域又は特定のサブバンド内において）ｌ局部的な構造（ｌｏｃａｌｉｚｅｄ  ｓｔｒｕｃｔｕｒｅ）又は分散的な構造（ｄｉｓｔｒｉｂｕｔｅｄ  ｓｔｒｕｃｔｕｒｅ）形態で構成されてもよい。ただし、各々のシンボルに位置したＵＬ  ＲＥＧの周波数上の位置は全て同一でなければならないという制約があり得る。また、Ｌ個のＵＬ  ＲＥＧは周波数軸上にシステム帯域又は特定のサブバンド内に固定されるか、周波数ホッピングが適用されてもよい。
【０３６３】
上述した第１乃至第３の例において、１つのＵＬ  ＣＣＥを構成するＵＬ  ＲＥＧ数であるＬは、全ての場合（例えば、第１乃至第３の例）に対して同一の値に設定されるか、各々の場合（例えば、第１乃至第３の例）において異なる値が設定されるか（例えば、第１の例では８又は１６、第２の例では６又は１２、第３の例では７又は１４と設定される）、特定の場合でのみ同一の値に設定される（例えば、第１の例及び第２の例では６、８、１２又は１６と設定され、第３の例では７又は１５と設定される）。
【０３６４】
ＵＬ  ＣＣＥを構成することにおいて、具体的にＵＣＩ送信ＲＥ数の和は２ｎ（又は、２ｎ＊３ｋ＊５ｊ）と制約され得る。この構成はポーラーコード（ポーラー符号、ｐｏｌａｒ  ｃｏｄｅ）送信が２ｎコーディングビットに適合することを考慮するとき、更なるパンクチャリング又はレートマッチングなくＰＵＣＣＨ上にＵＣＩを送信できるというメリットがある。
【０３６５】
４．２．３．ＰＵＣＣＨ
【０３６６】
１つのＰＵＣＣＨは１つ又は複数のＵＬ  ＣＣＥで構成されてもよい。
【０３６７】
ＵＬ  ＣＣＥが４．２．２．において説明したｆ-ＣＣＥである場合、１つのＰＵＣＣＨは同一のシンボルにおける（異なる周波数上の）複数のｆ-ＣＣＥで構成されてもよい。さらに、１つのＰＵＣＣＨは互いに異なるシンボルにおける（同一周波数上の）複数のｆ-ＣＣＥで構成（すなわち、多重シンボルＰＵＣＣＨである場合のように）されてもよい。
【０３６８】
ＵＬ  ＣＣＥが４．２．２．において説明したｔ-ＣＣＥである場合、１つのＰＵＣＣＨは互いに異なるシンボル区間（例えば、スロット）における（同一又は互いに異なる周波数上の）複数のｔ-ＣＣＥで構成されてもよい。さらに、１つのＰＵＣＣＨは同一のシンボル区間（例えば、スロット）における（周波数軸上に連続する又は連続しない）複数のｔ-ＣＣＥで構成されてもよい。
【０３６９】
ＵＬ  ＣＣＥが４．２．２．において説明した２Ｄ-ＣＣＥである場合、１つのＰＵＣＣＨは互いに異なるシンボル区間（例えば、スロット）における（同一又は互いに異なる周波数上の）複数の２Ｄ-ＣＣＥで構成されてもよい。さらに、１つのＰＵＣＣＨは同一のシンボル区間（例えば、スロット）における（周波数軸上に連続する又は連続しない）複数の２Ｄ-ＣＣＥで構成されてもよい。また、１つのＰＵＣＣＨは互いに異なるシンボル区間及び互いに異なる周波数軸に複数の２Ｄ-ＣＣＥで構成されてもよい。また、１つのＰＵＣＣＨは一部のシンボル区間が重畳（ｏｖｅｒｌａｐ）され、一部の周波数軸上のリソースが重畳（ｏｖｅｒｌａｐ）される複数の２Ｄ-ＣＣＥで構成されてもよい。
【０３７０】
４．２．４．シーケンスの生成方法
【０３７１】
上述したように、ＵＬ  ＲＥＧ又はＵＬ  ＣＣＥの構成において、一部のＲＥはＲＳを構成して、一部のＲＥはＵＣＩを構成することができる。このとき、ＵＣＩは種類によってシーケンス又はコーディングシンボルの形態で送信される。以下、ＵＥがＲＳ又はシーケンスベースのＵＣＩを送信するとき、具体的なシーケンスの生成及び送信方法について詳細に説明する。
【０３７２】
４．２．４．１．ザドフチューシーケンスベースの送信方法
【０３７３】
ＵＣＩがザドフチューシーケンスベースで送信される場合、ＵＬ  ＲＥＧごとに又はシンボルごとにルートインデックス（ｒｏｏｔ  ｉｎｄｅｘ）の異なるシーケンスが設定されてもよい。また、ＵＬ  ＲＥＧごとに又はシンボルごとに（ルートインデックスは同一であるものの）ＣＳ値が異なるように設定されてもよい。このとき、ルートインデックス（又は、循環シフト（ｃｙｃｌｉｃ  ｓｈｉｆｔ））値は１つのみ（Ｌ１シグナリング又は上位層シグナリングによって）設定され、当該値に対応するシーケンスは予め設定されたＲＥＧ（又は、シンボル）から送信され、他のＲＥＧ（又は、シンボル）から送信されるシーケンスに対しては、予め定義された規則によってルートインデックス（又は、循環シフト）値が決定されてもよい。
【０３７４】
一例として、ＤＣＩを介してルートインデックス（又は、循環シフト）値がシグナルされる場合、当該値に基づいたシーケンスは最低（ｌｏｗｅｓｔ）（又は、最高（ｈｉｇｈｅｓｔ））のＲＢインデックスを有するＲＢを含むＲＥＧから送信され、次に高い（ｎｅｘｔ  ｈｉｇｈ）（又は、次に低い（ｎｅｘｔ  ｌｏｗ））ＲＢインデックスを有するＲＢを含むＲＥＧに対しては予め設定されたオフセット値が加えられたルートインデックス（又は、循環シフト）値に基づいたシーケンスが送信される。
【０３７５】
４．２．４．２．擬似任意シーケンスベースの送信方法
【０３７６】
ＵＣＩが擬似任意シーケンスベースで送信される場合、ＵＬ  ＲＥＧごとに又はシンボルごとにスクランブリングシード（ｓｃｒａｍｂｌｉｎｇ  ｓｅｅｄ）の異なるシーケンスが設定されてもよい。また、ＵＣＩがＵＬ  ＲＥＧごとに又はシンボルごとに同一のシーケンスを繰り返した後、ＯＣＣを介して送信されるように設定されてもよい。これによって、ＵＥ間ＣＤＭが支援されることができる。
【０３７７】
このとき、スクランブリングシード値は１つのみ（Ｌ１シグナリング又は上位層シグナリングによって）設定され、当該値に対応するシーケンスは予め設定されたＲＥＧ（又は、シンボル）から送信され、他のＲＥＧ（又は、シンボル）から送信されるシーケンスに対しては、予め定義された規則によってスクランブリングシード値が決定されてもよい。
【０３７８】
一例として、ＤＣＩを介してスクランブリングシード値がシグナルされる場合、当該値に基づいたシーケンスは最低（ｌｏｗｅｓｔ）（又は、最高（ｈｉｇｈｅｓｔ））のＲＢインデックスを有するＲＢを含むＲＥＧから送信され、次に高い（ｎｅｘｔ  ｈｉｇｈ）（又は、次に低い（ｎｅｘｔ  ｌｏｗ））ＲＢインデックスを有するＲＢを含むＲＥＧに対しては予め設定されたオフセット値が加えられたスクランブリングシート値に基づいたシーケンスが送信される。
【０３７９】
図３３は、本発明による端末のＰＵＣＣＨの送信方法を示すフローチャートである。
【０３８０】
先ず、端末は送信するＰＵＣＣＨを構成する（Ｓ３３１０）。このとき、端末が構成するＰＵＣＣＨ構造は、端末が送信しようとするＵＣＩペイロードサイズ、基地局からのシグナリング（例えば、Ｌ１シグナリング又はＲＲＣシグナリング）などに基づいて決定される。一例として、端末はＰＵＣＣＨを上述した１シンボルＰＵＣＣＨ、多重シンボルＰＵＣＣＨ、ＬＴＥシステムのＰＵＣＣＨを変形したＰＵＣＣＨのうち１つの構造によって構成することができる。
【０３８１】
具体例として、端末が複数のシンボルを介して送信される多重シンボルＰＵＣＣＨを構成する場合、端末は、図１２（ａ）のように、１つのシンボルを用いたＰＵＣＣＨ構成を複数用いて多重シンボルＰＵＣＣＨを構成することができる。すなわち、端末は１シンボルＰＵＣＣＨ構造を時間領域において複数繰り返すことで、多重シンボルＰＵＣＣＨを構成することができる。
【０３８２】
上述した１つのシンボルを用いたＰＵＣＣＨ構成は、１つのシンボルを介して復調参照信号（Ｄｅｍｏｄｕｌａｔｉｏｎ  Ｒｅｆｅｒｅｎｃｅ  Ｓｉｇｎａｌ，ＤＭ-ＲＳ）及び上りリンク制御情報（Ｕｐｌｉｎｋ  Ｃｏｎｔｒｏｌ  Ｉｎｆｏｒｍａｔｉｏｎ，ＵＣＩ）が送信されるＰＵＣＣＨ構成であってもよい。
【０３８３】
このとき、１つのシンボルを用いたＰＵＣＣＨ構成は、図１１（ａ）のように、１つのシンボルを介してＤＭ-ＲＳ及びＵＣＩが周波数分割多重化（Ｆｒｅｑｕｅｎｃｙ  Ｄｉｖｉｓｉｏｎ  Ｍｕｌｔｉｐｌｅｘｉｎｇ，ＦＤＭ）されて送信されるＰＵＣＣＨ構成が適用される。さらに、１つのシンボルを用いたＰＵＣＣＨ構成は、図１１（ｂ）のように、１つのシンボルを介してＤＭ−ＲＳ及びＵＣＩが時間分割多重化（Ｔｉｍｅ  Ｄｉｖｉｓｉｏｎ  Ｍｕｌｔｉｐｌｅｘｉｎｇ，ＴＤＭ）されて送信されるＰＵＣＣＨ構成であってもよい。
【０３８４】
また、１つのシンボルを用いたＰＵＣＣＨ構成が連続しない周波数リソースに割り当てられた複数の上りリンクリソース要素グループ（Ｒｅｓｏｕｒｃｅ  Ｅｌｅｍｅｎｔ  Ｇｒｏｕｐ，ＲＥＧ）で構成される場合、多重シンボルＰＵＣＣＨに対する周波数ホッピング（ｆｒｅｑｕｅｎｃｙ  ｈｏｐｐｉｎｇ）は許容されなくてもよい。
【０３８５】
これとは異なり、１つのシンボルを用いたＰＵＣＣＨ構成が連続する周波数リソースに割り当てられた複数の上りリンクリソース要素グループ（Ｒｅｓｏｕｒｃｅ  Ｅｌｅｍｅｎｔ  Ｇｒｏｕｐ，ＲＥＧ）で構成される場合、多重シンボルＰＵＣＣＨに対する周波数ホッピング（ｆｒｅｑｕｅｎｃｙ  ｈｏｐｐｉｎｇ）が適用されてもよい。
【０３８６】
また、多重シンボルＰＵＣＣＨが送信されるシンボル数がＫ（ただし、Ｋは１よりも大きい自然数）個であり、多重シンボルＰＵＣＣＨが周波数ホッピングが適用されて送信される場合、各周波数ホッピング単位は
2020504470.tif 000009
個のシンボルと
2020504470.tif 000010
個のシンボルとに区分される。ここで、
2020504470.tif 000011
はａと同一であるか、ａよりも大きい整数のうち最小の整数値を意味してもよい。
【０３８７】
このとき、多重シンボルＰＵＣＣＨを介して送信される上りリンク制御情報（Ｕｐｌｉｎｋ  Ｃｏｎｔｒｏｌ  Ｉｎｆｏｒｍａｔｉｏｎ，ＵＣＩ）のサイズによって、多重シンボルＰＵＣＣＨが送信される各シンボルごとに送信されるＵＣＩビット情報は、同一であるか互いに異なってもよい。
【０３８８】
具体的には、多重シンボルＰＵＣＣＨを介して送信される上りリンク制御情報（Ｕｐｌｉｎｋ  Ｃｏｎｔｒｏｌ  Ｉｎｆｏｒｍａｔｉｏｎ，ＵＣＩ）のサイズが所定のビットサイズ以上である場合、多重シンボルＰＵＣＣＨが送信される各シンボルごとに送信されるＵＣＩビット情報は互いに異なってもよい。
【０３８９】
また、多重シンボルＰＵＣＣＨは他の端末が送信したＰＵＣＣＨとコード分割多重化（Ｃｏｄｅ  Ｄｉｖｉｓｉｏｎ  Ｍｕｌｔｉｐｌｅｘｉｎｇ，ＣＤＭ）されて送信されてもよい。
【０３９０】
次いで、端末は様々な方法で構成されたＰＵＣＣＨを対応するシンボル区間を介して基地局へ送信する（Ｓ３３３０）。
【０３９１】
上述した提案方式に対する一例も本発明の実現方法の１つとして含まれてもよく、一種の提案方式と見なし得ることは明白な事実である。また、上述した提案方式は独立して実現されてもよく、一部の提案方式の組合せ（又は、併合）の形態で実現されてもよい。上記提案方法適用の有無に関する情報（又は、上記提案方法の規則に関する情報）は、基地局が端末に予め定義されたシグナル（例えば、物理層シグナル又は上位層シグナル）で知らせるように規則が定義されてもよい。
【０３９２】
５．装置構成
【０３９３】
図３４は、提案する実施例を実現できる端末及び基地局の構成を示す図である。図３４に示す端末及び基地局は、上述した端末と基地局との物理上りリンク制御チャンネルの送受信方法の実施例を実現するために動作する。
【０３９４】
端末（ＵＥ：Ｕｓｅｒ  Ｅｑｕｉｐｍｅｎｔ）１は、上りリンクでは送信端として動作し、下りリンクでは受信端として動作することができる。また、基地局（ｅＮＢ又はｇＮＢ）１００は、上りリンクでは受信端として動作し、下りリンクでは送信端として動作する。
【０３９５】
すなわち、端末及び基地局は、情報、データ及び／又はメッセージの送信及び受信を制御するためにそれぞれ、送信機（Ｔｒａｎｓｍｉｔｔｅｒ）１０，１１０及び受信機（Ｒｅｃｅｉｖｅｒ）２０，１２０を含むことができ、情報、データ及び／又はメッセージを送受信するためのアンテナ３０，１３０などを含むことができる。
【０３９６】
また、端末及び基地局はそれぞれ、上述した本発明の実施例を行うためのプロセッサー（Ｐｒｏｃｅｓｓｏｒ）４０，１４０、及びプロセッサーの処理過程を臨時的に又は持続的に記憶できるメモリ５０，１５０を含むことができる。
【０３９７】
このように構成された端末１はプロセッサー４０を介して１つのシンボルを用いたＰＵＣＣＨ構成を複数用いて、複数のシンボルを介して送信される多重シンボルＰＵＣＣＨを構成して、送信部１０を介して構成された多重シンボルＰＵＣＣＨを複数のシンボルを介して送信することができる。
【０３９８】
これに対応して、基地局１００は受信機１１０を介して端末１から複数のシンボルを介して多重シンボルＰＵＣＣＨを受信することができる。このとき、多重シンボルは１つのシンボルを用いたＰＵＣＣＨ構成を複数用いて構成される。
【０３９９】
端末及び基地局に含まれた送信機及び受信機は、データ送信のためのパケット変復調機能、高速パケットチャンネルコーディング機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（時分割複信、ＴＤＤ：Ｔｉｍｅ  Ｄｉｖｉｓｉｏｎ  Ｄｕｐｌｅｘ）パケットスケジューリング及び／又はチャンネル多重化機能を行うことができる。また、図３４の端末及び基地局は低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）ユニットをさらに含んでもよい。
【０４００】
一方、本発明において端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートブックＰＣ、スマート（Ｓｍａｒｔ）フォン又はマルチモードマルチバンド（ＭＭ−ＭＢ：Ｍｕｌｔｉ  Ｍｏｄｅ−Ｍｕｌｔｉ  Ｂａｎｄ）端末機などが用いられる。
【０４０１】
ここで、スマートフォンとは、移動通信端末機と個人携帯端末機のメリットを組み合わせた端末機であって、移動通信端末機に個人携帯端末機の機能である日程管理、ファックス送受信及びインターネット接続などのデータ通信機能を統合した端末機を意味することができる。また、マルチモードマルチバンド端末機器とは、マルチモデムチップを内装して携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システムなど）のいずれにおいても動作できる端末機のことをいう。
【０４０２】
本発明の実施例は、様々な手段によって実現できる。例えば、本発明の実施例は、ハードウェア、ファームウェア（ｆｉｒｍｗａｒｅ）、ソフトウェア又はこれらの組み合わせなどによって実現できる。
【０４０３】
ハードウェアによる実現の場合、本発明の実施例による方法は、１つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサー、コントローラ、マイクロコントローラ、マイクロプロセッサーなどによって実現できる。
【０４０４】
ファームウェアやソフトウェアによる実現の場合、本発明の実施例による方法は、上述した機能又は動作を行うモジュール、手順又は関数などの形態として実現できる。例えば、ソフトウェアコードは、メモリユニット５０、１５０に格納されてプロセッサー４０、１４０によって駆動されてもよい。メモリユニットは、プロセッサーの内部又は外部に位置することができ、既知の様々な手段によってプロセッサーとデータをやり取りすることができる。
【０４０５】
本発明は、本発明の技術的アイデア及び必須的特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。また、特許請求の範囲で明示的な引用関係のない請求項を組み合せて実施例を構成するか、出願後の補正によって新しい請求項として含め得ることは自明である。
【産業上の利用可能性】
【０４０６】
本発明の実施例は、様々な無線接続システムに適用することができる。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）又は３ＧＰＰ２システムなどがある。本発明の実施例は、様々な無線接続システムのみならず、様々な無線接続システムを応用する全ての技術分野に適用することができる。さらに、提案する方法は、超高周波帯域を用いるｍｍＷａｖｅ通信システムにも適用することができる。
【図１】
2020504470.tif 000015
【図２】
2020504470.tif 000016
【図３】
2020504470.tif 000017
【図４】
2020504470.tif 000018
【図５】
2020504470.tif 000019
【図６】
2020504470.tif 000020
【図７】
2020504470.tif 000021
【図８】
2020504470.tif 000022
【図９】
2020504470.tif 000023
【図１０】
2020504470.tif 000024
【図１１】
2020504470.tif 000025
【図１２】
2020504470.tif 000026
【図１３】
2020504470.tif 000027
【図１４】
2020504470.tif 000028
【図１５】
2020504470.tif 000029
【図１６】
2020504470.tif 000030
【図１７】
2020504470.tif 000031
【図１８（ａ）】
2020504470.tif 000032
【図１８（ｂ）】
2020504470.tif 000033
【図１９】
2020504470.tif 000034
【図２０】
2020504470.tif 000035
【図２１】
2020504470.tif 000036
【図２２】
2020504470.tif 000037
【図２３】
2020504470.tif 000038
【図２４】
2020504470.tif 000039
【図２５】
2020504470.tif 000040
【図２６】
2020504470.tif 000041
【図２７】
2020504470.tif 000042
【図２８】
2020504470.tif 000043
【図２９】
2020504470.tif 000044
【図３０】
2020504470.tif 000045
【図３１】
2020504470.tif 000046
【図３２】
2020504470.tif 000047
【図３３】
2020504470.tif 000048
【図３４】
2020504470.tif 000049
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
無線通信において、端末がＰＵＣＣＨ（Ｐｈｙｓｉｃａｌ  Ｕｐｌｉｎｋ  Ｃｏｎｔｒｏｌ  Ｃｈａｎｎｅｌ）を送信する方法であって、
ＵＣＩ（Ｕｐｌｉｎｋ  Ｃｏｎｔｒｏｌ  Ｉｎｆｏｒｍａｔｉｏｎ）を含む１シンボルＰＵＣＣＨに基づいて２シンボルＰＵＣＣＨを構成することと、
前記２シンボルＰＵＣＣＨを送信することと、を含む、方法。
【請求項２】
前記１シンボルＰＵＣＣＨは、ＲＳ（Ｒｅｆｅｒｅｎｃｅ  Ｓｉｇｎａｌ）を含む、請求項１に記載の方法。
【請求項３】
前記２シンボルＰＵＣＣＨを介して送信される前記ＵＣＩのサイズがあるビットサイズより大きいとき、前記１シンボルＰＵＣＣＨは、前記ＵＣＩ及び前記ＲＳを含むように構成される、請求項２に記載の方法。
【請求項４】
前記１シンボルＰＵＣＣＨは、ＤＭ−ＲＳ（ｄｅｍｏｄｕｌａｔｉｏｎ  ｒｅｆｅｒｅｎｃｅ  ｓｉｇｎａｌ）及び前記ＵＣＩが１つのシンボル上でＦＤＭ（Ｆｒｅｑｕｅｎｃｙ  Ｄｉｖｉｓｉｏｎ  Ｍｕｌｔｉｐｌｅｘｉｎｇ）の方法で送信されるＰＵＣＣＨ構造を有する、請求項３に記載の方法。
【請求項５】
前記２シンボルＰＵＣＣＨを介して送信される前記ＵＣＩのサイズがあるビットサイズ以下であるとき、前記ＵＣＩは、シーケンスベースのＵＣＩから構成される、請求項１に記載の方法。
【請求項６】
前記あるビットサイズは、２ビットサイズに対応する、請求項５に記載の方法。
【請求項７】
前記２シンボルＰＵＣＣＨを介して送信される前記ＵＣＩのサイズがあるビットサイズ以下であるとき、シンボル毎に送信されるＵＣＩビット情報は、同一である、請求項１に記載の方法。
【請求項８】
前記２シンボルＰＵＣＣＨを介して送信される前記ＵＣＩのサイズがあるビットサイズより大きいとき、シンボル毎に送信されるＵＣＩビット情報は、互いに異なる、請求項１に記載の方法。
【請求項９】
無線通信において、基地局が端末からＰＵＣＣＨ（Ｐｈｙｓｉｃａｌ  Ｕｐｌｉｎｋ  Ｃｏｎｔｒｏｌ  Ｃｈａｎｎｅｌ）を受信する方法であって、
前記端末から２シンボルＰＵＣＣＨを受信することを含み、
前記２シンボルＰＵＣＣＨは、ＵＣＩ（Ｕｐｌｉｎｋ  Ｃｏｎｔｒｏｌ  Ｉｎｆｏｒｍａｔｉｏｎ）を含む１シンボルＰＵＣＣＨに基づいて構成される、方法。
【請求項１０】
無線通信システムにおいて、ＰＵＣＣＨ（Ｐｈｙｓｉｃａｌ  Ｕｐｌｉｎｋ  Ｃｏｎｔｒｏｌ  Ｃｈａｎｎｅｌ）を基地局に送信する端末であって、
送信部と、
前記送信部と連結されて動作するプロセッサーと、を含み、
前記プロセッサーは、
ＵＣＩ（Ｕｐｌｉｎｋ  Ｃｏｎｔｒｏｌ  Ｉｎｆｏｒｍａｔｉｏｎ）を含む１シンボルＰＵＣＣＨに基づいて２シンボルＰＵＣＣＨを構成し、
前記２シンボルＰＵＣＣＨを送信するように構成される、端末。
【請求項１１】
前記２シンボルＰＵＣＣＨを介して送信される前記ＵＣＩのサイズがあるビットサイズ以下であるとき、前記ＵＣＩは、シーケンスベースのＵＣＩから構成される、請求項１０に記載の端末。
【国際調査報告】
2020504470.tif 000050
2020504470.tif 000051
2020504470.tif 000052
2020504470.tif 000053